(57)【要約】      （修正有）【課題】ワイヤレスネットワークにおいてリレーノードを提供する。【解決手段】通常ｅＮＢとすることができるクラスタノードは、バックホールリンクを介してリレーノードへのワイヤレスネットワークアクセスを提供し、リレーノードは、デバイスまたは他のリレーノードへのアクセスを提供することができる。ユーザ機器（ＵＥ）リレーは、ＵＥリレーがネットワークアドレス指定を受信するようにクラスタノードに従ってＵＥとして機能し、バックホールリンクを使用してクラスタノードを通して通信をトンネリングすることができる。セルリレーは、トランスポートレイヤ通信がクラスタノードにおいて終了するようにクラスタノードのセルとして機能する。【選択図】図９
2014147089.tif 000002
【特許請求の範囲】
【請求項１】
ＬＴＥバックホールリンクを介してリレーｅＮＢと通信することと、
１つまたは複数のネットワーク構成要素から１つまたは複数のバックホールリンクプロトコルを介して前記リレーｅＮＢに関係する通信を受信することと、
１つまたは複数の異種プロトコルを使用して前記ＬＴＥバックホールリンクを介して前記リレーｅＮＢに前記通信を送信することとを備える方法。
【請求項２】
前記リレーｅＮＢに関係する通信を前記受信することが、コアネットワークから前記通信を受信することを含む、請求項１に記載の方法。
【請求項３】
前記リレーｅＮＢに関係する通信を前記受信することが、アクセスネットワークから前記通信を受信することを含む、請求項１に記載の方法。
【請求項４】
前記１つまたは複数のバックホールリンクプロトコルのうちの少なくとも１つがＳ１−Ｕ、Ｓ１−ＭＭＥ、またはＸ２インターフェースに関係する、請求項１に記載の方法。
【請求項５】
前記リレーｅＮＢから前記ＬＴＥバックホールリンクを介してアップリンク通信を受信することと、
前記１つまたは複数のバックホールリンクプロトコルを介して前記１つまたは複数のネットワーク構成要素に前記アップリンク通信を送信することとをさらに備える、請求項１に記載の方法。
【請求項６】
リレーｅＮＢと通信するためのＬＴＥバックホールリンクを提供することと、
バックホールリンクプロトコルを介して１つまたは複数のネットワーク構成要素から前記リレーｅＮＢのための通信を得ることと、
異種バックホールリンクプロトコルを使用して前記ＬＴＥバックホールリンクを介して前記リレーｅＮＢに前記通信を送信すること
を行うように構成された少なくとも１つのプロセッサと、
前記少なくとも１つのプロセッサに結合されたメモリとを備えるワイヤレス通信装置。
【請求項７】
前記少なくとも１つのプロセッサがコアネットワークから前記通信を得る、請求項６に記載のワイヤレス通信装置。
【請求項８】
前記少なくとも１つのプロセッサがアクセスネットワークから前記通信を得る、請求項６に記載のワイヤレス通信装置。
【請求項９】
前記バックホールリンクプロトコルがＳ１−Ｕ、Ｓ１−ＭＭＥ、またはＸ２インターフェースに関係する、請求項６に記載のワイヤレス通信装置。
【請求項１０】
前記少なくとも１つのプロセッサが、
前記リレーｅＮＢから前記ＬＴＥバックホールリンクを介してアップリンク通信を得ることと、
前記バックホールリンクプロトコルを使用して前記１つまたは複数のネットワーク構成要素に前記アップリンク通信を送信することとを行うようにさらに構成された、請求項６に記載のワイヤレス通信装置。
【請求項１１】
１つまたは複数のネットワーク構成要素から１つまたは複数のバックホールリンクプロトコルを介してリレーｅＮＢに関係する通信を受信するための手段と、
１つまたは複数の異種バックホールリンクプロトコルを使用してＬＴＥバックホールリンクを介して前記リレーｅＮＢに前記通信を送信するための手段とを備える装置。
【請求項１２】
受信するための前記手段がコアネットワークから前記通信を受信する、請求項１１に記載の装置。
【請求項１３】
受信するための前記手段がアクセスネットワークから前記通信を受信する、請求項１１に記載の装置。
【請求項１４】
前記１つまたは複数のバックホールリンクプロトコルがＳ１−Ｕ、Ｓ１−ＭＭＥ、またはＸ２インターフェースに関係する、請求項１１に記載の装置。
【請求項１５】
前記リレーｅＮＢに通信を送信するための前記手段が、前記リレーｅＮＢから前記ＬＴＥバックホールリンクを介してアップリンク通信を受信し、前記ｅＮＢに関係する通信を受信するための前記手段が、前記１つまたは複数のバックホールリンクプロトコルを介して前記１つまたは複数のネットワーク構成要素に前記アップリンク通信を送信する、請求項１１に記載の装置。
【請求項１６】
少なくとも１つのコンピュータに、ＬＴＥバックホールリンクを介してリレーｅＮＢと通信させるためのコードと、
前記少なくとも１つのコンピュータに、１つまたは複数のネットワーク構成要素から１つまたは複数のバックホールリンクプロトコルを介して前記リレーｅＮＢに関係する通信を受信させるためのコードと、
前記少なくとも１つのコンピュータに、１つまたは複数の異種プロトコルを使用して前記ＬＴＥバックホールリンクを介して前記リレーｅＮＢに前記通信を送信させるためのコードとを備えるコンピュータ可読媒体を備えるコンピュータプログラム製品。
【請求項１７】
前記少なくとも１つのコンピュータに通信を受信させるための前記コードがコアネットワークから前記通信を受信する、請求項１６に記載のコンピュータプログラム製品。
【請求項１８】
前記少なくとも１つのコンピュータに通信を受信させるための前記コードがアクセスネットワークから前記通信を受信する、請求項１６に記載のコンピュータプログラム製品。
【請求項１９】
前記１つまたは複数のバックホールリンクプロトコルのうちの少なくとも１つがＳ１−Ｕ、Ｓ１−ＭＭＥ、またはＸ２インターフェースに関係する、請求項１６に記載のコンピュータプログラム製品。
【請求項２０】
前記コンピュータ可読媒体が、
前記少なくとも１つのコンピュータに、前記リレーｅＮＢから前記ＬＴＥバックホールリンクを介してアップリンク通信を受信させるためのコードと、
前記少なくとも１つのコンピュータに、前記１つまたは複数のバックホールリンクプロトコルを介して前記１つまたは複数のネットワーク構成要素に前記アップリンク通信を送信させるためのコードとをさらに備える、請求項１６に記載のコンピュータプログラム製品。
【請求項２１】
１つまたは複数のネットワーク構成要素から１つまたは複数のバックホールリンクプロトコルを介してリレーｅＮＢに関係する通信を受信するバックホールリンク構成要素と、
１つまたは複数の異種バックホールリンクプロトコルを使用してＬＴＥバックホールリンクを介して前記リレーｅＮＢに前記通信を送信するアクセスリンク構成要素とを備える装置。
【請求項２２】
前記バックホールリンク構成要素がコアネットワークから前記通信を受信する、請求項２１に記載の装置。
【請求項２３】
前記バックホールリンク構成要素がアクセスネットワークから前記通信を受信する、請求項２１に記載の装置。
【請求項２４】
前記１つまたは複数のバックホールリンクプロトコルがＳ１−Ｕ、Ｓ１−ＭＭＥ、またはＸ２インターフェースに関係する、請求項２１に記載の装置。
【請求項２５】
前記アクセスリンク構成要素が、前記リレーｅＮＢから前記ＬＴＥバックホールリンクを介してアップリンク通信を受信し、前記バックホールリンク構成要素が、前記１つまたは複数のバックホールリンクプロトコルを介して前記１つまたは複数のネットワーク構成要素に前記アップリンク通信を送信する、請求項２１に記載の装置。
【請求項２６】
ネットワーク構成要素からドナーｅＮＢを通してインターネットプロトコル（ＩＰ）アドレスを受信することと、
前記ＩＰアドレスに基づいて前記ネットワーク構成要素から前記ドナーｅＮＢを通して１つまたは複数のパケットを受信することと、
前記１つまたは複数のパケットからＵＥまたは異種リレーｅＮＢに情報を送信することとを備える方法。
【請求項２７】
ＬＴＥバックホールリンクを介して前記ドナーｅＮＢと通信することをさらに備える、請求項２６に記載の方法。
【請求項２８】
前記１つまたは複数のパケットを前記受信することが、汎用パケット無線サービス（ＧＰＲＳ）トンネリングプロトコル（ＧＴＰ）に従って前記１つまたは複数のパケットを受信することを含む、請求項２６に記載の方法。
【請求項２９】
ＧＴＰに従って前記１つまたは複数のパケットを前記受信することが、前記１つまたは複数のパケットのトンネルエンドポイント識別子（ＴＥＩＤ）中に指定された前記ＩＰアドレスをもつ前記ＧＴＰに従って前記１つまたは複数のパケットを受信することを含む、請求項２８に記載の方法。
【請求項３０】
前記ＵＥまたは前記異種リレーｅＮＢからアップリンク通信を受信することと、
前記ＩＰアドレスに基づいて前記ＧＴＰを使用して前記ドナーｅＮＢを通して前記ネットワーク構成要素に前記アップリンク通信を中継するために１つまたは複数の異種パケットを送信することとをさらに備える、請求項２８に記載の方法。
【請求項３１】
前記１つまたは複数のパケットを前記受信することが、Ｓ１−ＭＭＥインターフェースを介して前記１つまたは複数のパケットを受信することを含む、請求項２６に記載の方法。
【請求項３２】
サービングゲートウェイからドナーｅＮＢを介してインターネットプロトコル（ＩＰ）アドレスを得ることと、
前記ＩＰアドレスに少なくとも部分的に基づいて１つまたは複数のパケットを受信するために前記ドナーｅＮＢを通して前記サービングゲートウェイと通信することと、
前記１つまたは複数のパケットからＵＥまたは異種リレーｅＮＢにコンテントを送信すること
を行うように構成された少なくとも１つのプロセッサと、
前記少なくとも１つのプロセッサに結合されたメモリとを備えるワイヤレス通信装置。
【請求項３３】
前記少なくとも１つのプロセッサが、ＬＴＥバックホールリンクを介して前記ドナーｅＮＢに接続するようにさらに構成された、請求項３２に記載のワイヤレス通信装置。
【請求項３４】
前記少なくとも１つのプロセッサが、汎用パケット無線サービス（ＧＰＲＳ）トンネリングプロトコル（ＧＴＰ）を介して前記サービングゲートウェイと通信し、前記１つまたは複数のパケットが、１つまたは複数のＧＴＰヘッダを含む、請求項３２に記載のワイヤレス通信装置。
【請求項３５】
前記１つまたは複数のＧＴＰヘッダが、前記ＩＰアドレスに対応するトンネルエンドポイント識別子（ＴＥＩＤ）を備える、請求項３４に記載のワイヤレス通信装置。
【請求項３６】
前記少なくとも１つのプロセッサが、
前記ＵＥまたは前記異種リレーｅＮＢからアップリンク通信を得ることと、
前記ＩＰアドレスに少なくとも部分的に基づいてＧＴＰを使用して前記ドナーｅＮＢに前記アップリンク通信の少なくとも一部分を送信することとを行うようにさらに構成された、請求項３４に記載のワイヤレス通信装置。
【請求項３７】
前記少なくとも１つのプロセッサが、Ｓ１−ＭＭＥインターフェースを介して前記１つまたは複数のパケットを受信する、請求項３２に記載のワイヤレス通信装置。
【請求項３８】
ネットワーク構成要素からドナーｅＮＢを通してインターネットプロトコル（ＩＰ）アドレスを受信するための手段と、
前記ＩＰアドレスに基づいて前記ネットワーク構成要素において発生する１つまたは複数のパケットを前記ドナーｅＮＢから受信するための手段と、
前記１つまたは複数のパケットからＵＥまたは異種リレーｅＮＢに情報を送信するための手段とを備える装置。
【請求項３９】
受信するための前記手段が前記１つまたは複数のパケットを受信する、前記ネットワーク構成要素との通信トンネルを作成するための手段をさらに備える、請求項３８に記載の装置。
【請求項４０】
前記１つまたは複数のパケットを受信するための前記手段が、前記ＵＥまたは前記異種リレーｅＮＢから受信した１つまたは複数の異種パケットを前記通信トンネルを介して前記ネットワーク構成要素に送信する、請求項３９に記載の装置。
【請求項４１】
受信するための前記手段が、汎用パケット無線サービス（ＧＰＲＳ）トンネリングプロトコル（ＧＴＰ）に従って前記１つまたは複数のパケットを受信し、前記１つまたは複数のパケットが、少なくとも１つのＧＴＰヘッダを含む、請求項３９に記載の装置。
【請求項４２】
前記少なくとも１つのＧＴＰヘッダが、前記ＩＰアドレスを指定するトンネルエンドポイント識別子（ＴＥＩＤ）を含む、請求項４１に記載の装置。
【請求項４３】
前記少なくとも１つのＧＴＰヘッダが、前記ＵＥまたは前記異種リレーｅＮＢの異種アドレスを指定するトンネルエンドポイント識別子（ＴＥＩＤ）を含み、送信するための前記手段が、前記異種アドレスに少なくとも部分的に基づいて前記ＵＥまたは前記異種リレーｅＮＢに前記データを送信する、請求項４１に記載の装置。
【請求項４４】
前記１つまたは複数のパケットを受信するための前記手段が、前記ドナーｅＮＢからＬＴＥバックホールリンクを介して前記１つまたは複数のパケットを受信する、請求項３８に記載の装置。
【請求項４５】
前記１つまたは複数のパケットを受信するための前記手段が、Ｓ１−ＭＭＥインターフェースを介して前記１つまたは複数のパケットを受信する、請求項３８に記載の装置。
【請求項４６】
少なくとも１つのコンピュータに、ネットワーク構成要素からドナーｅＮＢを通してインターネットプロトコル（ＩＰ）アドレスを受信させるためのコードと、
前記少なくとも１つのコンピュータに、前記ＩＰアドレスに基づいて前記ネットワーク構成要素から前記ドナーｅＮＢを通して１つまたは複数のパケットを受信させるためのコードと、
前記少なくとも１つのコンピュータに、前記１つまたは複数のパケットからＵＥまたは異種リレーｅＮＢに情報を送信させるためのコードとを備えるコンピュータ可読媒体を備えるコンピュータプログラム製品。
【請求項４７】
前記コンピュータ可読媒体が、前記少なくとも１つのコンピュータに、ＬＴＥバックホールリンクを介して前記ドナーｅＮＢと通信させるためのコードをさらに備える、請求項４６に記載のコンピュータプログラム製品。
【請求項４８】
前記少なくとも１つのコンピュータに前記１つまたは複数のパケットを受信させるための前記コードが、汎用パケット無線サービス（ＧＰＲＳ）トンネリングプロトコル（ＧＴＰ）に従って前記１つまたは複数のパケットを受信する、請求項４６に記載のコンピュータプログラム製品。
【請求項４９】
前記少なくとも１つのコンピュータに前記１つまたは複数のパケットを受信させるための前記コードが、前記１つまたは複数のパケットのトンネルエンドポイント識別子（ＴＥＩＤ）中に指定された前記ＩＰアドレスをもつ前記ＧＴＰに従って前記１つまたは複数のパケットを受信することを含む、請求項４８に記載のコンピュータプログラム製品。
【請求項５０】
前記コンピュータ可読媒体が、前記少なくとも１つのコンピュータに、
前記ＵＥまたは前記異種リレーｅＮＢからアップリンク通信を受信することと、
前記ＩＰアドレスとともに前記アップリンク通信を前記ネットワーク構成要素に送信することとを行わせるためのコードをさらに備える、請求項４８に記載のコンピュータプログラム製品。
【請求項５１】
前記少なくとも１つのコンピュータに前記１つまたは複数のパケットを受信させるための前記コードが、Ｓ１−ＭＭＥインターフェースを介して前記１つまたは複数のパケットを受信する、請求項４６に記載のコンピュータプログラム製品。
【請求項５２】
前記コンピュータ可読媒体が、前記少なくとも１つのコンピュータに、前記ＩＰアドレスに基づいてトンネリングプロトコルを使用して前記ドナーｅＮＢを通して前記ネットワーク構成要素に１つまたは複数の異種パケットを送信させるためのコードをさらに備える、請求項４６に記載のコンピュータプログラム製品。
【請求項５３】
ネットワーク構成要素からドナーｅＮＢを通してインターネットプロトコル（ＩＰ）アドレスを得るアドレス受信構成要素と、
前記ＩＰアドレスに基づいて前記ネットワーク構成要素において発生する１つまたは複数のパケットを前記ドナーｅＮＢから受信するバックホールリンク構成要素と、
前記１つまたは複数のパケットからＵＥまたは異種リレーｅＮＢに情報を送信するアクセスリンク構成要素とを備える装置。
【請求項５４】
前記ネットワーク構成要素との通信トンネルを、前記バックホール構成要素が前記１つまたは複数のパケットを受信する前記ＩＰアドレスに基づいて作成するトンネリング構成要素をさらに備える、請求項５３に記載の装置。
【請求項５５】
前記バックホールリンク構成要素が、前記ＵＥまたは前記異種リレーｅＮＢから受信した１つまたは複数の異種パケットを前記通信トンネルを介して前記ネットワーク構成要素に送信する、請求項５４に記載の装置。
【請求項５６】
前記バックホールリンク構成要素が、汎用パケット無線サービス（ＧＰＲＳ）トンネリングプロトコル（ＧＴＰ）を介して前記１つまたは複数のパケットを受信し、前記１つまたは複数のパケットが、少なくとも１つのＧＴＰヘッダを含む、請求項５４に記載の装置。
【請求項５７】
前記少なくとも１つのＧＴＰヘッダが、前記ＩＰアドレスを指定するトンネルエンドポイント識別子（ＴＥＩＤ）を含む、請求項５６に記載の装置。
【請求項５８】
前記少なくとも１つのＧＴＰヘッダが、前記ＵＥまたは前記異種リレーｅＮＢの異種アドレスを指定するトンネルエンドポイント識別子（ＴＥＩＤ）を含み、送信するための前記手段が、前記異種アドレスに少なくとも部分的に基づいて前記ＵＥまたは前記異種リレーｅＮＢに前記データを送信する、請求項５６に記載の装置。
【請求項５９】
前記バックホールリンク構成要素が、前記ドナーｅＮＢからＬＴＥバックホールリンクを介して前記１つまたは複数のパケットを受信する、請求項５３に記載の装置。
【請求項６０】
接続確立要求をリレーｅＮＢから受信することと、
ネットワークから受信したデータを前記リレーｅＮＢにルーティングすることを最適化するためにローカルインターネットプロトコル（ＩＰ）アドレスを前記リレーｅＮＢに割り当てることと、
前記ローカルＩＰアドレスを前記リレーｅＮＢに送信することとを備える方法。
【請求項６１】
前記接続確立要求を前記受信することが、前記リレーｅＮＢからＬＴＥバックホールリンクを介して前記接続確立要求を受信することを含む、請求項６０に記載の方法。
【請求項６２】
トンネリングプロトコルに従って前記リレーｅＮＢとの通信トンネルを確立することをさらに備える、請求項６０に記載の方法。
【請求項６３】
前記トンネリングプロトコルが、汎用パケット無線サービス（ＧＰＲＳ）トンネリングプロトコル（ＧＴＰ）である、請求項６２に記載の方法。
【請求項６４】
前記リレーｅＮＢから前記通信トンネルを介して１つまたは複数のパケットを受信することをさらに備え、前記１つまたは複数のパケットが、前記ローカルＩＰアドレスに対応するトンネルエンドポイント識別子（ＴＥＩＤ）をもつＧＴＰヘッダを備える、請求項６３に記載の方法。
【請求項６５】
リレーｅＮＢから接続確立要求を得ることと、
ネットワークから受信したデータを前記リレーｅＮＢにルーティングすることを最適化するためにローカルインターネットプロトコル（ＩＰ）アドレスを前記リレーｅＮＢに割り振ることと、
前記ローカルＩＰアドレスを前記リレーｅＮＢに提供すること
を行うように構成された少なくとも１つのプロセッサと、
前記少なくとも１つのプロセッサに結合されたメモリとを備えるワイヤレス通信装置。
【請求項６６】
前記少なくとも１つのプロセッサが、前記リレーｅＮＢからＬＴＥバックホールリンクを介して前記接続確立要求を得る、請求項６５に記載のワイヤレス通信装置。
【請求項６７】
前記少なくとも１つのプロセッサが、トンネリングプロトコルに従って前記リレーｅＮＢとの通信トンネルを確立するようにさらに構成された、請求項６５に記載のワイヤレス通信装置。
【請求項６８】
前記トンネリングプロトコルが、汎用パケット無線サービス（ＧＰＲＳ）トンネリングプロトコル（ＧＴＰ）である、請求項６７に記載のワイヤレス通信装置。
【請求項６９】
前記少なくとも１つのプロセッサが、前記リレーｅＮＢから前記通信トンネルを介して１つまたは複数のパケットを受信するようにさらに構成され、前記１つまたは複数のパケットが、前記ローカルＩＰアドレスに対応するトンネルエンドポイント識別子（ＴＥＩＤ）をもつＧＴＰヘッダを備える、請求項６８に記載のワイヤレス通信装置。
【請求項７０】
リレーｅＮＢから接続確立要求を受信するための手段と、
ネットワークから受信したデータを前記リレーｅＮＢにルーティングすることを最適化するためにローカルインターネットプロトコル（ＩＰ）アドレスを前記リレーｅＮＢに割り当てるための手段、ここで、前記接続確立要求を受信するための前記手段は前記ローカルＩＰアドレスを前記リレーｅＮＢに送信する、を備える装置。
【請求項７１】
前記接続確立要求を受信するための前記手段が、前記リレーｅＮＢからＬＴＥバックホールリンクを介して前記接続確立要求を受信する、請求項７０に記載の装置。
【請求項７２】
トンネリングプロトコルに従って前記リレーｅＮＢとの通信トンネルを確立するための手段をさらに備える、請求項７０に記載の装置。
【請求項７３】
前記トンネリングプロトコルが汎用パケット無線サービス（ＧＰＲＳ）トンネリングプロトコル（ＧＴＰ）である、請求項７２に記載の装置。
【請求項７４】
前記接続確立要求を受信するための前記手段が、前記リレーｅＮＢから前記通信トンネルを介して１つまたは複数のパケットを受信し、前記１つまたは複数のパケットが、前記ローカルＩＰアドレスに対応するトンネルエンドポイント識別子（ＴＥＩＤ）をもつＧＴＰヘッダを備える、請求項７３に記載の装置。
【請求項７５】
少なくとも１つのコンピュータに、リレーｅＮＢからの接続確立要求を受信させるためのコードと、
前記少なくとも１つのコンピュータに、ネットワークから受信したデータを前記リレーｅＮＢにルーティングすることを最適化するためにローカルインターネットプロトコル（ＩＰ）アドレスを前記リレーｅＮＢに割り当てさせるためのコードと、
前記少なくとも１つのコンピュータに、前記ローカルＩＰアドレスを前記リレーｅＮＢに送信させるためのコードとを備えるコンピュータ可読媒体を備えるコンピュータプログラム製品。
【請求項７６】
前記少なくとも１つのコンピュータに前記接続確立要求を受信させるための前記コードが、前記リレーｅＮＢからＬＴＥバックホールリンクを介して前記接続確立要求を受信する、請求項７５に記載のコンピュータプログラム製品。
【請求項７７】
前記コンピュータ可読媒体が、前記少なくとも１つのコンピュータに、トンネリングプロトコルに従って前記リレーｅＮＢとの通信トンネルを確立させるためのコードをさらに備える、請求項７５に記載のコンピュータプログラム製品。
【請求項７８】
前記トンネリングプロトコルが汎用パケット無線サービス（ＧＰＲＳ）トンネリングプロトコル（ＧＴＰ）である、請求項７７に記載のコンピュータプログラム製品。
【請求項７９】
前記コンピュータ可読媒体が、前記少なくとも１つのコンピュータに、前記リレーｅＮＢから前記通信トンネルを介して１つまたは複数のパケットを受信させるためのコードをさらに備え、前記１つまたは複数のパケットが、前記ローカルＩＰアドレスに対応するトンネルエンドポイント識別子（ＴＥＩＤ）をもつＧＴＰヘッダを備える、請求項７８に記載のコンピュータプログラム製品。
【請求項８０】
リレーｅＮＢから接続確立要求を受信するアクセスリンク構成要素と、
ネットワークから受信したデータを前記リレーｅＮＢにルーティングすることを最適化するためにローカルインターネットプロトコル（ＩＰ）アドレスを前記リレーｅＮＢに割り当てるアドレス指定構成要素、ここで、前記アクセスリンク構成要素は前記ローカルＩＰアドレスを前記リレーｅＮＢに送信する、を備える装置。
【請求項８１】
前記アクセスリンク構成要素が、前記リレーｅＮＢからＬＴＥバックホールリンクを介して前記接続確立要求を受信する、請求項８０に記載の装置。
【請求項８２】
トンネリングプロトコルに従って前記リレーｅＮＢとの通信トンネルを作成するトンネル確立構成要素をさらに備える、請求項８０に記載の装置。
【請求項８３】
前記トンネリングプロトコルが汎用パケット無線サービス（ＧＰＲＳ）トンネリングプロトコル（ＧＴＰ）である、請求項８２に記載の装置。
【請求項８４】
前記アクセスリンク構成要素が、前記リレーｅＮＢから前記通信トンネルを介して１つまたは複数のパケットを受信し、前記１つまたは複数のパケットが、前記ローカルＩＰアドレスに対応するトンネルエンドポイント識別子（ＴＥＩＤ）をもつＧＴＰヘッダを備える、請求項８３に記載の装置。
【請求項８５】
ネットワーク構成要素からトランスポートレイヤを介して１つまたは複数のアプリケーションプロトコル中でリレーｅＮＢに関係する情報を受信することと、
前記トランスポートレイヤから前記１つまたは複数のアプリケーションプロトコルを分離することと、
前記１つまたは複数のアプリケーションプロトコル中の前記情報を異種トランスポートレイヤを介して前記リレーｅＮＢに送信することとを備える方法。
【請求項８６】
前記情報を前記送信することが、ＬＴＥバックホールリンクを介して前記リレーｅＮＢに前記情報を送信することを含む、請求項８５に記載の方法。
【請求項８７】
前記情報を前記受信することが、コアネットワークから前記情報を受信することを含む、請求項８５に記載の方法。
【請求項８８】
前記情報を前記受信することが、アクセスネットワークから前記情報を受信することを含む、請求項８５に記載の方法。
【請求項８９】
前記情報を前記受信することが、Ｓ１−Ｕ、Ｓ１−ＭＭＥ、またはＸ２インターフェースを介して前記情報を受信することを含む、請求項８５に記載の方法。
【請求項９０】
ネットワーク構成要素からトランスポートレイヤを介してアプリケーションプロトコル中でリレーｅＮＢに関係するデータを受信することと、
前記トランスポートレイヤから前記アプリケーションプロトコルを分離することと、
前記アプリケーションプロトコル中の前記データを異種トランスポートレイヤを介して前記リレーｅＮＢに送信すること
を行うように構成された少なくとも１つのプロセッサと、
前記少なくとも１つのプロセッサに結合されたメモリとを備えるワイヤレス通信装置。
【請求項９１】
前記少なくとも１つのプロセッサが、ＬＴＥバックホールリンクを介して前記リレーｅＮＢに前記データを送信する、請求項９０に記載のワイヤレス通信装置。
【請求項９２】
前記ネットワーク構成要素がコアネットワーク中にある、請求項９０に記載のワイヤレス通信装置。
【請求項９３】
前記ネットワーク構成要素がアクセスネットワーク中にある、請求項９０に記載のワイヤレス通信装置。
【請求項９４】
前記少なくとも１つのプロセッサが、Ｓ１−Ｕ、Ｓ１−ＭＭＥ、またはＸ２インターフェースを介して前記データを受信する、請求項９０に記載のワイヤレス通信装置。
【請求項９５】
ネットワーク構成要素からリレーｅＮＢに関係する通信を受信するための手段と、
前記通信のトランスポートレイヤからアプリケーションレイヤデータを分離するための手段と、
異種トランスポートレイヤを介して前記リレーｅＮＢに前記アプリケーションレイヤデータを送信するための手段とを備える装置。
【請求項９６】
前記異種トランスポートレイヤのためのパケットを生成するための手段をさらに備え、送信するための前記手段が、前記パケット中で前記アプリケーションレイヤデータを送信する、請求項９５に記載の装置。
【請求項９７】
送信するための前記手段が、前記リレーｅＮＢとのＬＴＥバックホールリンクを介して前記アプリケーションレイヤデータを送信する、請求項９５に記載の装置。
【請求項９８】
前記ネットワーク構成要素がコアまたはアクセスネットワーク構成要素である、請求項９５に記載の装置。
【請求項９９】
受信するための前記手段が、Ｓ１−Ｕ、Ｓ１−ＭＭＥ、またはＸ２インターフェースを介して前記通信を受信する、請求項９５に記載の装置。
【請求項１００】
少なくとも１つのコンピュータに、ネットワーク構成要素からトランスポートレイヤを介して１つまたは複数のアプリケーションプロトコル中でリレーｅＮＢに関係する情報を受信させるためのコードと、
前記少なくとも１つのコンピュータに、前記トランスポートレイヤから前記１つまたは複数のアプリケーションプロトコルを分離させるためのコードと、
前記少なくとも１つのコンピュータに、前記１つまたは複数のアプリケーションプロトコル中の前記情報を異種トランスポートレイヤを介して前記リレーｅＮＢに送信させるためのコードとを備えるコンピュータ可読媒体を備えるコンピュータプログラム製品。
【請求項１０１】
前記少なくとも１つのコンピュータに前記情報を送信させるための前記コードが、ＬＴＥバックホールリンクを介して前記リレーｅＮＢに前記情報を送信する、請求項１００に記載のコンピュータプログラム製品。
【請求項１０２】
前記少なくとも１つのコンピュータに前記情報を受信させるための前記コードが、コアネットワークから前記情報を受信する、請求項１００に記載のコンピュータプログラム製品。
【請求項１０３】
前記少なくとも１つのコンピュータに前記情報を受信させるための前記コードが、アクセスネットワークから前記情報を受信する、請求項１００に記載のコンピュータプログラム製品。
【請求項１０４】
前記少なくとも１つのコンピュータに前記情報を受信させるための前記コードが、Ｓ１−Ｕ、Ｓ１−ＭＭＥ、またはＸ２インターフェースを介して前記情報を受信する、請求項１００に記載のコンピュータプログラム製品。
【請求項１０５】
ネットワーク構成要素からリレーｅＮＢに関係する通信を受信するバックホールリンク構成要素と、
前記通信のトランスポートレイヤからアプリケーションレイヤデータを分離するトランスポート変換構成要素と、
異種トランスポートレイヤを介して前記リレーｅＮＢに前記アプリケーションレイヤデータを送信するアクセスリンク構成要素とを備える装置。
【請求項１０６】
前記異種トランスポートレイヤのためのパケットを生成する構成要素を定義するトランスポートプロトコルをさらに備え、前記トランスポート変換構成要素が、前記アプリケーションレイヤデータを前記パケット中に挿入し、前記アクセスリンク構成要素が、前記パケット中の前記アプリケーションレイヤデータを前記リレーｅＮＢに送信する、請求項１０５に記載の装置。
【請求項１０７】
前記アクセスリンク構成要素が、前記リレーｅＮＢとのＬＴＥバックホールリンクを介して前記アプリケーションレイヤデータを送信する、請求項１０５に記載の装置。
【請求項１０８】
前記ネットワーク構成要素がコアまたはアクセスネットワーク構成要素である、請求項１０５に記載の装置。
【請求項１０９】
前記バックホールリンク構成要素が、Ｓ１−Ｕ、Ｓ１−ＭＭＥ、またはＸ２インターフェースを介して前記通信を受信する、請求項１０５に記載の装置。
【請求項１１０】
圧縮トランスポートレイヤを使用してＬＴＥエアインターフェースを介してバックホールリンクプロトコルに従ってドナーｅＮＢからデータを受信することと、
前記圧縮トランスポートレイヤに少なくとも部分的に基づいて前記バックホールリンクプロトコルを判断することと、
前記バックホールリンクプロトコルに従って前記データを処理することとを備える方法。
【請求項１１１】
前記バックホールリンクプロトコルに従って前記データを前記受信することが、ＬＴＥバックホールリンクプロトコルに従って前記データを受信することを含む、請求項１１０に記載の方法。
【請求項１１２】
ＵＥまたは異種リレーｅＮＢからアップリンクデータを受信することと、
前記アップリンクデータに関係するトランスポートレイヤを圧縮することと、
前記アップリンクデータを前記圧縮トランスポートレイヤを介して前記ドナーｅＮＢに送信することとをさらに備える、請求項１１０に記載の方法。
【請求項１１３】
圧縮トランスポートレイヤを使用してＬＴＥエアインターフェースを介してバックホールリンクプロトコルに従ってドナーｅＮＢからデータを得ることと、
前記圧縮トランスポートレイヤに少なくとも部分的に基づいて前記バックホールリンクプロトコルを見分けることと、
前記バックホールリンクプロトコルに従って前記データを復号すること
を行うように構成された少なくとも１つのプロセッサと、
前記少なくとも１つのプロセッサに結合されたメモリとを備えるワイヤレス通信装置。
【請求項１１４】
前記少なくとも１つのプロセッサが、ＬＴＥバックホールリンクプロトコルに従って前記データを受信する、請求項１１３に記載のワイヤレス通信装置。
【請求項１１５】
前記少なくとも１つのプロセッサが、
ＵＥまたは異種リレーｅＮＢからアップリンクデータを得ることと、
前記アップリンクデータに関係するトランスポートレイヤを圧縮することと、
前記アップリンクデータを前記圧縮トランスポートレイヤを介して前記ドナーｅＮＢに送信することとを行うようにさらに構成された、請求項１１３に記載のワイヤレス通信装置。
【請求項１１６】
圧縮トランスポートレイヤを使用してＬＴＥエアインターフェースを介してバックホールリンクプロトコルに従ってドナーｅＮＢからデータを受信するための手段と、
前記圧縮トランスポートレイヤに少なくとも部分的に基づいて前記バックホールリンクプロトコルを判断することと、前記バックホールリンクプロトコルに従って前記データを処理することを行うための手段とを備える装置。
【請求項１１７】
前記データを受信するための前記手段が、ＬＴＥバックホールリンクプロトコルに従って前記データを受信する、請求項１１６に記載の装置。
【請求項１１８】
前記バックホールリンクプロトコルを判断するための前記手段が、さらに、ＵＥからアップリンクデータを受信し、前記ドナーｅＮＢからデータを受信するための前記手段が、さらに、前記アップリンクデータを前記バックホールリンクプロトコルを介して前記ドナーｅＮＢに送信するとき前記アップリンクデータのトランスポートレイヤを圧縮する、請求項１１６に記載の装置。
【請求項１１９】
少なくとも１つのコンピュータに、圧縮トランスポートレイヤを使用してＬＴＥエアインターフェースを介してバックホールリンクプロトコルに従ってドナーｅＮＢからデータを受信させるためのコードと、
前記少なくとも１つのコンピュータに、前記圧縮トランスポートレイヤに少なくとも部分的に基づいて前記バックホールリンクプロトコルを判断させるためのコードと、
前記少なくとも１つのコンピュータに、前記バックホールリンクプロトコルに従って前記データを処理させるためのコードとを備えるコンピュータ可読媒体を備えるコンピュータプログラム製品。
【請求項１２０】
前記少なくとも１つのコンピュータに前記データを受信させるための前記コードが、ＬＴＥバックホールリンクプロトコルに従って前記データを受信する、請求項１１９に記載のコンピュータプログラム製品。
【請求項１２１】
前記コンピュータ可読媒体が、
前記少なくとも１つのコンピュータに、ＵＥまたは異種リレーｅＮＢからアップリンクデータを受信させるためのコードと、
前記少なくとも１つのコンピュータに、前記アップリンクデータに関係するトランスポートレイヤを圧縮させるためのコードと、
前記少なくとも１つのコンピュータに、前記圧縮トランスポートレイヤを介して前記ドナーｅＮＢに前記アップリンクデータを送信させるためのコードとをさらに備える、請求項１１９に記載のコンピュータプログラム製品。
【請求項１２２】
圧縮トランスポートレイヤを使用してＬＴＥエアインターフェースを介してバックホールリンクプロトコルに従ってドナーｅＮＢからデータを受信するアクセスリンク構成要素と、
前記圧縮トランスポートレイヤに少なくとも部分的に基づいて前記バックホールリンクプロトコルを判断し、前記バックホールリンクプロトコルに従って前記データを復号するバックホールリンク構成要素とを備える装置。
【請求項１２３】
前記アクセスリンク構成要素が、ＬＴＥバックホールリンクプロトコルに従って前記データを受信する、請求項１２２に記載の装置。
【請求項１２４】
前記アクセスリンク構成要素が、さらに、ＵＥからアップリンクデータを受信し、前記バックホールリンク構成要素が、さらに、前記アップリンクデータを前記バックホールリンクプロトコルを介して前記ドナーｅＮＢに送信するとき前記アップリンクデータのトランスポートレイヤを圧縮する、請求項１２２に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００８年８月２５日に出願された「Relay Architecture Framework」と題する仮出願第６１／０９１，６５９号の優先権を主張する。
【０００２】
以下の説明は、一般にワイヤレス通信に関し、より詳細には、ワイヤレスネットワーク中で通信を中継するためのアーキテクチャに関する。
【背景技術】
【０００３】
ワイヤレス通信システムは、たとえばボイス、データなど、様々なタイプの通信コンテントを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）などの仕様、および／またはＥｖｏｌｕｔｉｏｎ
Ｄａｔａ  Ｏｐｔｉｍｉｚｅｄ（ＥＶ−ＤＯ）、その１つまたは複数のリビジョンなどのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数のアクセスポイント（たとえば、基地局）と通信することができる。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどを介して確立できる。しかしながら、アクセスポイントは、カバレージのエッジの近くのモバイルデバイスおよび／または高トラフィックのエリア中のデバイスがアクセスポイントから劣化した通信品質を受けるように、地理的カバレージエリアならびにリソースが制限されることがある。
【発明の概要】
【０００５】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
１つまたは複数の態様およびその対応する開示に従って、カバレージの拡大および／またはスループットの増加を実現するためにワイヤレス通信ネットワーク中のデバイス間で通信を中継することを可能にすることに関して、様々な態様を説明する。たとえば、コアネットワークへのアクセスを提供するために、それぞれが複数のリレーノードと通信することができるクラスタノードが提供される。さらに、リレーノードは、１つまたは複数のモバイルデバイス、他のリレーノードなどへのアクセスを提供するために、バックホール（backhaul）リンクを介してクラスタノードと通信することができる。一例では、リレーノードはモバイルデバイスとしてクラスタノードと通信することができ、それによりリレーノードにクラスタノードを介してコアネットワークからインターネットプロトコル（ＩＰ）アドレスを割り当てることができ、したがってトランスポートレイヤ通信がクラスタノードを通してトンネリングされる。別の例では、リレーノードはセルリレーとしてクラスタノードと通信することができ、それによりトランスポートレイヤ通信がクラスタノードにおいて終了し、クラスタノードは、異種トランスポートレイヤプロトコルを介してリレーノードにアプリケーションレイヤ通信をフォワーディング（forwards）する。
【０００７】
関係する態様によれば、ＬＴＥバックホールリンクを介してリレーｅＮＢと通信することと、１つまたは複数のネットワーク構成要素から１つまたは複数のバックホールリンクプロトコルを介してリレーｅＮＢに関係する通信を受信することを含む方法を提供する。本方法はまた、１つまたは複数の異種プロトコルを使用してＬＴＥバックホールリンクを介してリレーｅＮＢに通信を送信することを含む。
【０００８】
別の態様は、ワイヤレス通信装置に関する。本ワイヤレス通信装置は、リレーｅＮＢと通信するためのＬＴＥバックホールリンクを提供するように構成された少なくとも１つのプロセッサを含むことができる。その少なくとも１つのプロセッサは、バックホールリンクプロトコルを介して１つまたは複数のネットワーク構成要素からリレーｅＮＢのための通信を得ることと、異種バックホールリンクプロトコルを使用してＬＴＥバックホールリンクを介してリレーｅＮＢに通信を送信することを行うようにさらに構成される。本ワイヤレス通信装置はまた、少なくとも１つのプロセッサに結合されたメモリを備える。
【０００９】
さらに別の態様は装置に関する。本装置は、１つまたは複数のネットワーク構成要素から１つまたは複数のバックホールリンクプロトコルを介してリレーｅＮＢに関係する通信を受信するための手段と、１つまたは複数の異種バックホールリンクプロトコルを使用してＬＴＥバックホールリンクを介してリレーｅＮＢに通信を送信するための手段を含む。
【００１０】
さらに別の態様は、少なくとも１つのコンピュータに、ＬＴＥバックホールリンクを介してリレーｅＮＢと通信させるためのコードを含むコンピュータ可読媒体を有することができるコンピュータプログラム製品に関する。コンピュータ可読媒体はまた、少なくとも１つのコンピュータに１つまたは複数のネットワーク構成要素から１つまたは複数のバックホールリンクプロトコルを介してリレーｅＮＢに関係する通信を受信させるためのコードと、少なくとも１つのコンピュータに１つまたは複数の異種プロトコルを使用してＬＴＥバックホールリンクを介してリレーｅＮＢにその通信を送信させるためのコードを備えることができる。
【００１１】
さらに、追加の態様は、１つまたは複数のネットワーク構成要素から１つまたは複数のバックホールリンクプロトコルを介してリレーｅＮＢに関係する通信を受信するバックホールリンク構成要素を含む装置に関する。本装置は、１つまたは複数の異種バックホールリンクプロトコルを使用してＬＴＥバックホールリンクを介してリレーｅＮＢに通信を送信するアクセスリンク構成要素をさらに含むことができる。
【００１２】
他の態様によれば、ドナーｅＮＢを通してネットワーク構成要素からＩＰアドレスを受信することを含む方法を提供する。本方法は、ＩＰアドレスに基づいてドナーｅＮＢを通してネットワーク構成要素から１つまたは複数のパケットを受信することと、１つまたは複数のパケットからＵＥまたは異種リレーｅＮＢに情報を送信することをさらに含む。
【００１３】
別の態様は、ワイヤレス通信装置に関する。本ワイヤレス通信装置は、ドナーｅＮＢを介してサービングゲートウェイからＩＰアドレスを得ることと、ＩＰアドレスに少なくとも部分的に基づいて１つまたは複数のパケットを受信するためにドナーｅＮＢを通してサービングゲートウェイと通信することを行うように構成された少なくとも１つのプロセッサを含むことができる。その少なくとも１つのプロセッサは、１つまたは複数のパケットからＵＥまたは異種リレーｅＮＢにコンテントを送信するようにさらに構成される。本ワイヤレス通信装置はまた、少なくとも１つのプロセッサに結合されたメモリを備える。
【００１４】
さらに別の態様は装置に関する。本装置は、ドナーｅＮＢを通してネットワーク構成要素からＩＰアドレスを受信するための手段と、ＩＰアドレスに基づいてネットワーク構成要素において発生する１つまたは複数のパケットをドナーｅＮＢから受信するための手段を含む。本装置は、１つまたは複数のパケットからＵＥまたは異種リレーｅＮＢに情報を送信するための手段をさらに含む。
【００１５】
さらに別の態様は、少なくとも１つのコンピュータにドナーｅＮＢを通してネットワーク構成要素からＩＰアドレスを受信させるためのコードと、少なくとも１つのコンピュータにＩＰアドレスに基づいてドナーｅＮＢを通してネットワーク構成要素から１つまたは複数のパケットを受信させるためのコードを含むコンピュータ可読媒体を有することができる、コンピュータプログラム製品に関する。コンピュータ可読媒体はまた、少なくとも１つのコンピュータに、１つまたは複数のパケットからＵＥまたは異種リレーｅＮＢに情報を送信させるためのコードを備えることができる。
【００１６】
さらに、追加の態様は、ドナーｅＮＢを通してネットワーク構成要素からＩＰアドレスを得るアドレス受信構成要素を含む装置に関する。本装置は、ＩＰアドレスに基づいてネットワーク構成要素において発生する１つまたは複数のパケットをドナーｅＮＢから受信するバックホールリンク構成要素と、１つまたは複数のパケットからＵＥまたは異種リレーｅＮＢに情報を送信するアクセスリンク構成要素をさらに含むことができる。
【００１７】
別の態様では、リレーｅＮＢから接続確立要求を受信することを含む方法を提供する。本方法はまた、ネットワークから受信したデータをリレーｅＮＢにルーティングすることを最適化するためにローカルＩＰアドレスをリレーｅＮＢに割り当てることと、ローカルＩＰアドレスをリレーｅＮＢに送信することを含む。
【００１８】
別の態様は、ワイヤレス通信装置に関する。本ワイヤレス通信装置は、リレーｅＮＢから接続確立要求を得ることと、ネットワークから受信したデータをリレーｅＮＢにルーティングすることを最適化するためにローカルＩＰアドレスをリレーｅＮＢに割り振ることを行うように構成された、少なくとも１つのプロセッサを含むことができる。少なくとも１つのプロセッサは、ローカルＩＰアドレスをリレーｅＮＢに提供するようにさらに構成される。本ワイヤレス通信装置はまた、少なくとも１つのプロセッサに結合されたメモリを備える。
【００１９】
さらに別の態様は装置に関する。本装置は、リレーｅＮＢから接続確立要求を受信するための手段と、ネットワークから受信したデータをリレーｅＮＢにルーティングすることを最適化するためにローカルＩＰアドレスをリレーｅＮＢに割り当てるための手段を含み、接続確立要求を受信するための手段は、ローカルＩＰアドレスをリレーｅＮＢに送信する。
【００２０】
さらに別の態様は、少なくとも１つのコンピュータにリレーｅＮＢからの接続確立要求を受信させるためのコードを含むコンピュータ可読媒体を有することができる、コンピュータプログラム製品に関する。コンピュータ可読媒体はまた、少なくとも１つのコンピュータに、ネットワークから受信したデータをリレーｅＮＢにルーティングすることを最適化するためにローカルＩＰアドレスをリレーｅＮＢに割り当てさせるためのコードと、少なくとも１つのコンピュータに、ローカルＩＰアドレスをリレーｅＮＢに送信させるためのコードを備えることができる。
【００２１】
さらに、追加の態様は、リレーｅＮＢから接続確立要求を受信するアクセスリンク構成要素を含む装置に関する。本装置は、ネットワークから受信したデータをリレーｅＮＢにルーティングすることを最適化するためにローカルＩＰアドレスをリレーｅＮＢに割り当てるアドレス指定構成要素をさらに含むことができ、アクセスリンク構成要素は、ローカルＩＰアドレスをリレーｅＮＢに送信する。
【００２２】
さらなる態様によれば、ネットワーク構成要素からトランスポートレイヤを介して１つまたは複数のアプリケーションプロトコル中でリレーｅＮＢに関係する情報を受信することを含む方法を提供する。本方法はまた、トランスポートレイヤから１つまたは複数のアプリケーションプロトコルを分離することと、リレーｅＮＢに異種トランスポートレイヤを介して１つまたは複数のアプリケーションプロトコル中で情報を送信することを含む。
【００２３】
別の態様は、ワイヤレス通信装置に関する。本ワイヤレス通信装置は、ネットワーク構成要素からトランスポートレイヤを介してアプリケーションプロトコル中でリレーｅＮＢに関係するデータを受信することと、トランスポートレイヤからアプリケーションプロトコルを分離することを行うように構成された、少なくとも１つのプロセッサを含むことができる。少なくとも１つのプロセッサは、リレーｅＮＢに異種トランスポートレイヤを介してアプリケーションプロトコル中でデータを送信するようにさらに構成される。本ワイヤレス通信装置はまた、少なくとも１つのプロセッサに結合されたメモリを備える。
【００２４】
さらに別の態様は装置に関する。本装置は、ネットワーク構成要素からリレーｅＮＢに関係する通信を受信するための手段と、アプリケーションレイヤデータを通信のトランスポートレイヤから分離するための手段を含む。本装置は、異種トランスポートレイヤを介してリレーｅＮＢにアプリケーションレイヤデータを送信するための手段をさらに含むことができる。
【００２５】
さらに別の態様は、少なくとも１つのコンピュータに、ネットワーク構成要素からトランスポートレイヤを介して１つまたは複数のアプリケーションプロトコル中でリレーｅＮＢに関係する情報を受信させるためのコードを含むコンピュータ可読媒体を有することができる、コンピュータプログラム製品に関する。コンピュータ可読媒体はまた、少なくとも１つのコンピュータに、トランスポートレイヤから１つまたは複数のアプリケーションプロトコルを分離させるためのコードと、少なくとも１つのコンピュータに、リレーｅＮＢに異種トランスポートレイヤを介して１つまたは複数のアプリケーションプロトコル中で情報を送信させるためのコードを備えることができる。
【００２６】
さらに、追加の態様は、ネットワーク構成要素からリレーｅＮＢに関係する通信を受信するバックホールリンク構成要素と、通信のトランスポートレイヤからアプリケーションレイヤデータを分離するトランスポート変換構成要素を含む装置に関する。本装置は、異種トランスポートレイヤを介してリレーｅＮＢにアプリケーションレイヤデータを送信するアクセスリンク構成要素をさらに含むことができる。
【００２７】
さらに別の態様では、圧縮トランスポートレイヤを使用し、ＬＴＥエアインターフェースを介してドナーｅＮＢからバックホールリンクプロトコルに従ってデータを受信することを含む方法を提供する。本方法は、圧縮トランスポートレイヤに少なくとも部分的に基づいてバックホールリンクプロトコルを判断することと、バックホールリンクプロトコルに従ってデータを処理することをさらに含む。
【００２８】
別の態様は、ワイヤレス通信装置に関する。本ワイヤレス通信装置は、圧縮トランスポートレイヤを使用し、ＬＴＥエアインターフェースを介してバックホールリンクプロトコルに従ってドナーｅＮＢからデータを得ることと、圧縮トランスポートレイヤに少なくとも部分的に基づいてバックホールリンクプロトコルを見分けることを行うように構成された、少なくとも１つのプロセッサを含むことができる。少なくとも１つのプロセッサは、バックホールリンクプロトコルに従ってデータを復号するようにさらに構成される。本ワイヤレス通信装置はまた、少なくとも１つのプロセッサに結合されたメモリを備える。
【００２９】
さらに別の態様は装置に関する。本装置は、圧縮トランスポートレイヤを使用し、ＬＴＥエアインターフェースを介してバックホールリンクプロトコルに従ってドナーｅＮＢからデータを受信するための手段を含む。本装置はまた、圧縮トランスポートレイヤに少なくとも部分的に基づいてバックホールリンクプロトコルを判断し、バックホールリンクプロトコルに従ってデータを処理するための手段を含む。
【００３０】
さらに別の態様は、少なくとも１つのコンピュータに、圧縮トランスポートレイヤを使用しＬＴＥエアインターフェースを介してバックホールリンクプロトコルに従ってドナーｅＮＢからデータを受信させるためのコードを含むコンピュータ可読媒体を有することができる、コンピュータプログラム製品に関する。コンピュータ可読媒体はまた、少なくとも１つのコンピュータに、圧縮トランスポートレイヤに少なくとも部分的に基づいてバックホールリンクプロトコルを判断させるためのコードと、少なくとも１つのコンピュータに、バックホールリンクプロトコルに従ってデータを処理させるためのコードを備えることができる。
【００３１】
さらに、追加の態様は、圧縮トランスポートレイヤを使用しＬＴＥエアインターフェースを介してバックホールリンクプロトコルに従ってドナーｅＮＢからデータを受信するアクセスリンク構成要素を含む装置に関する。本装置は、圧縮トランスポートレイヤに少なくとも部分的に基づいてバックホールリンクプロトコルを判断し、バックホールリンクプロトコルに従ってデータを復号するバックホールリンク構成要素をさらに含むことができる。
【００３２】
上記および関連する目的を達成するために、１つまたは複数の態様は、以下で十分に説明され、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００３３】
【図１】ワイヤレスネットワークのためのリレーを提供することを可能にする例示的なワイヤレス通信システムの図。
【図２】それにネットワークアクセスを提供するためにＵＥリレーと通信することを可能にする例示的なワイヤレス通信システムの図。
【図３】ワイヤレスネットワークへのアクセスを提供するためにＵＥリレーを利用する例示的なワイヤレス通信システムの図。
【図４】データプレーン通信のためのＵＥリレー機能を提供することを可能にする例示的なプロトコルスタックの図。
【図５】制御プレーン通信のためのＵＥリレー機能を提供することを可能にする例示的なプロトコルスタックの図。
【図６】ローカルブレークアウト構成においてＵＥリレーと通信することを可能にする例示的なワイヤレス通信システムの図。
【図７】それにネットワークアクセスを提供するためにセルリレーと通信することを可能にする例示的なワイヤレス通信システムの図。
【図８】ワイヤレスネットワークへのアクセスを提供するためにセルリレーを利用する例示的なワイヤレス通信システムの図。
【図９】データプレーン通信のためのセルリレー機能を提供することを可能にする例示的なプロトコルスタックの図。
【図１０】制御プレーン通信のためのセルリレー機能を提供することを可能にする例示的なプロトコルスタックの図。
【図１１】ワイヤレスネットワークから１つまたは複数のリレーｅＮＢにデータを提供する例示的な方法の図。
【図１２】ＵＥリレー機能を提供する例示的な方法の図。
【図１３】ローカルブレークアウト構成においてＵＥリレーと通信する例示的な方法の図。
【図１４】ワイヤレスネットワークから１つまたは複数のセルリレーにデータを送信する例示的な方法の図。
【図１５】セルリレー機能を提供する例示的な方法の図。
【図１６】本明細書に記載の様々な態様によるワイヤレス通信システムの図。
【図１７】本明細書に記載の様々なシステムおよび方法とともに使用できる例示的なワイヤレスネットワーク環境の図。
【図１８】１つまたは複数のリレーｅＮＢにネットワークデータを通信することを可能にする例示的なシステムの図。
【図１９】ワイヤレスネットワークにおいてＵＥリレー機能を提供することを可能にする例示的なシステムの図。
【図２０】ローカルブレークアウト構成においてＵＥリレーと通信する例示的なシステムの図。
【図２１】ワイヤレスネットワークにおいてセルリレーと通信することを可能にする例示的なシステムの図。
【図２２】ワイヤレスネットワークにおいてセルリレー機能を提供する例示的なシステムの図。
【詳細な説明】
【００３４】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００３５】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなどの、ローカルプロセスおよび／またはリモートプロセスを介して通信することができる。
【００３６】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、（１つまたは複数の）ワイヤレス端末と通信するために利用でき、アクセスポイント、ノードＢ、または何らかの他の用語で呼ばれることもある。
【００３７】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００３８】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ  などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル（unpaired unlicensed spectrums）、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができる。
【００３９】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００４０】
図１を参照すると、ワイヤレスネットワークにおいてリレー機能を提供することを可能にするワイヤレス通信システム１００が示されている。システム１００は、コアネットワーク１０６へのアクセスをもつリレーｅＮＢ１０４などの１つまたは複数のリレーｅＮＢを提供するドナーｅＮＢ１０２を含む。同様に、リレーｅＮＢ１０４は、ドナーｅＮＢ１０２を介してコアネットワーク１０６へのアクセスをもつ、リレーｅＮＢ１０８などの１つまたは複数の異種リレーｅＮＢまたはＵＥ１１０などのＵＥを提供することができる。クラスタｅＮＢと呼ばれることもあるドナーｅＮＢ１０２は、ＬＴＥまたは他の技術バックホールリンクとすることができるワイヤードまたはワイヤレスバックホールリンクを介してコアネットワーク１０６と通信することができる。一例では、コアネットワーク１０６は、３ＧＰＰ  ＬＴＥまたは同様の技術ネットワークとすることができる。ドナーｅＮＢ１０２は、さらに、同じくワイヤードまたはワイヤレス、ＬＴＥまたは他の技術とすることができるリレーｅＮＢ１０４に対するアクセスリンクを提供することができ、リレーｅＮＢ１０４は、ドナーｅＮＢ１０２のアクセスリンクを介してバックホールリンクを使用してドナーｅＮＢ１０２と通信することができる。リレーｅＮＢ１０４は、同様に、ワイヤードまたはワイヤレスのＬＴＥまたは他の技術リンクとすることができるリレーｅＮＢ１０８および／またはＵＥ１１０に対するアクセスリンクを提供することができる。一例では、ドナーｅＮＢ１０２は、ＬＴＥアクセスリンクを提供することができ、リレーｅＮＢ１０４は、ＬＴＥバックホールを使用してＬＴＥアクセスリンクに接続することができ、リレーｅＮＢ１０４は、リレーｅＮＢ１０８および／またはＵＥ１１０へのＬＴＥアクセスリンクを提供することができる。ドナーｅＮＢ１０２は、異種バックホールリンク技術を介してコアネットワーク１０６に接続することができる。リレーｅＮＢ１０８および／またはＵＥ１１０は、説明したように、コアネットワーク１０６へのアクセスを受信するためにＬＴＥアクセスリンクを使用してリレーｅＮＢ１０４に接続することができる。本明細書では、ドナーｅＮＢと接続されたリレーｅＮＢとを集合的にクラスタと呼ぶことがある。
【００４１】
一例によれば、リレーｅＮＢ１０４は、通常ＬＴＥ構成中のＵＥのように、リンクレイヤ（たとえば、媒体アクセス制御（ＭＡＣ）レイヤ）においてドナーｅＮＢ１０２に接続することができる。この点について、ドナーｅＮＢ１０２は、リレーｅＮＢ１０４をサポートするためにリンクレイヤまたは関係するインターフェース（たとえば、Ｅ−ＵＴＲＡ−Ｕｕ）において変更を必要としない通常ＬＴＥ  ｅＮＢとすることができる。さらに、リレーｅＮＢ１０４は、たとえば、リンクレイヤにおいてリレーｅＮＢ１０４に接続するためにＵＥ１１０に変更を必要としないように、リンクレイヤにおいてＵＥ１１０には通常ｅＮＢのように見えるようにすることができる。さらに、リレーｅＮＢ１０４は、アクセスとバックホールリンクとの間のリソース分割、干渉管理、クラスタのアイドルモードセル選択などの手順を構成することができる。
【００４２】
トランスポートレイヤ通信に関して、リレーｅＮＢ１０８通信またはＵＥ１１０通信に関係するトランスポートプロトコルは、ドナーｅＮＢ１０２またはリレーｅＮＢ１０４において終了することができる。前者の場合、リレーｅＮＢ１０４はドナーｅＮＢ１０２のセルと同様なので、本明細書ではリレーｅＮＢ１０４機能をセルリレーとして説明する。後者の場合、リレーｅＮＢ１０４は、トランスポートプロトコルを終了し、ドナーｅＮＢ１０２を通して通信をトンネリングするＵＥと同様なので、本明細書ではリレーｅＮＢ１０４機能をＵＥリレーとして説明する。たとえば、リレーｅＮＢ１０４がセルリレーであるとき、ドナーｅＮＢ１０２は、コアネットワーク１０６からリレーｅＮＢ１０４に対する通信を受信し、トランスポートプロトコルを終了し、アプリケーションレイヤを実質的にそのままに保つ異種トランスポートレイヤを介してリレーｅＮＢ１０４に通信をフォワーディング（forward）することができる。フォワーディングトランスポートプロトコルタイプは、終端トランスポートプロトコルタイプと同じとすることができるが、リレーｅＮＢ１０４と確立される異なるトランスポートレイヤであることを諒解されたい。リレーｅＮＢ１０４は、通信に関係するリレーｅＮＢまたはＵＥを判断することができ、（たとえば、通信内のその識別子に基づいて）リレーｅＮＢまたはＵＥに通信を提供することができる。同様に、ドナーｅＮＢ１０２は、リレーｅＮＢ１０４から受信した通信のトランスポートレイヤプロトコルを終了し、通信を異種トランスポートプロトコルに変換し、セルリレーとしてリレーｅＮＢ１０４に対してアプリケーションレイヤをそのままの状態で、異種トランスポートプロトコルを介してコアネットワーク１０６に通信を送信することができる。これらの例では、リレーｅＮＢ１０４が別のリレーｅＮＢと通信している場合、リレーｅＮＢ１０４は、通信が確実に正しいリレーｅＮＢに到達するようにするためにアプリケーションプロトコルルーティングをサポートすることができる。
【００４３】
別の例では、リレーｅＮＢ１０４は、リレーｅＮＢ１０４がＵＥリレーである場合、トランスポートレイヤプロトコルを終了することができる。この例では、アドレス（たとえば、インターネットプロトコル（ＩＰ）アドレス）をコアネットワーク１０６からリレーｅＮＢ１０４に割り当てることができ、コアネットワーク１０６からの通信は、ドナーｅＮＢ１０２を通してリレーｅＮＢ１０４にトンネリングすることができる（たとえば、ドナーｅＮＢ１０２は、アドレスに基づいてリレーｅＮＢ１０４に通信をフォワーディングすることができる）。リレーｅＮＢ１０４は、この場合も、通信が関係するリレーｅＮＢまたはＵＥを判断し、（たとえば、通信中のその識別子に基づいて）リレーｅＮＢまたはＵＥに通信を提供することができる。リレーｅＮＢ１０４からコアネットワーク１０６への通信に同じことを行うことができる。各リレーｅＮＢにおいて、コアネットワーク１０６によって割り当てられたアドレスに基づいて追加のトンネルを作成することができることを諒解されたい。
【００４４】
さらに、アプリケーションレイヤプロトコルは上流ｅＮＢにおいて終了することができる。したがって、たとえば、リレーｅＮＢ１０８およびＵＥ１１０に対するアプリケーションレイヤプロトコルはリレーｅＮＢ１０４において終了することができ、同様に、リレーｅＮＢ１０４に対するアプリケーションレイヤプロトコルはドナーｅＮＢ１０２において終了することができる。トランスポートおよびアプリケーションレイヤプロトコルは、たとえば、Ｓ１−Ｕ、Ｓ１−ＭＭＥ、および／またはＸ２インターフェースに関係することができる。Ｓ１−Ｕインターフェースは、ノードとコアネットワーク１０６のサービングゲートウェイ（図示せず）との間のデータプレーン中で通信するために利用できる。Ｓ１−ＭＭＥインターフェースは、ノードとコアネットワーク１０６のモビリティ管理エンティティ（ＭＭＥ）（図示せず）との間の制御プレーン通信に利用できる。Ｘ２インターフェースは、ｅＮＢ間の通信に利用できる。さらに、たとえば、ドナーｅＮＢ１０２は、アクセスネットワークを介して相互に通信することを可能にするために他のリレーｅＮＢと通信することができる（たとえば、リレーｅＮＢ１０４は、ドナーｅＮＢ１０２に接続された１つまたは複数の追加のリレーｅＮＢと通信することができる）。
【００４５】
次に図２を参照すると、ＵＥリレーを使用してワイヤレスネットワークカバレージを拡大すること、スループットを増加することなどを行うことを可能にする例示的なワイヤレス通信システム２００が示されている。システム２００は、コアネットワーク１０６へのアクセスをもつリレーｅＮＢ１０４（および／または他のリレーｅＮＢ）を提供するドナーｅＮＢ１０２を含む。さらに、説明したように、リレーｅＮＢ１０４は、ドナーｅＮＢ１０２を通してコアネットワーク１０６へのアクセスをもつリレーｅＮＢ１０８および／またはＵＥ１１０を提供することができる。さらに、リレーｅＮＢ１０８は、一例では、リレーｅＮＢ１０４の構成要素を備え、同様の機能を提供することができることを諒解されたい。さらに、ドナーｅＮＢ１０２は、マクロセルアクセスポイント、フェムトセルアクセスポイント、ピコセルアクセスポイント、移動無線ベースステーションなどとすることができる。リレーｅＮＢ１０４は、同様に、説明したように、ワイヤレスまたはワイヤードバックホールを介してドナーｅＮＢ１０２と通信するモバイルまたは固定リレーノードとすることができる。
【００４６】
ドナーｅＮＢ１０２は、コアネットワーク１０６へのアクセスを提供するためにリレーｅＮＢ１０４などの１つまたは複数の下流ノードと通信するアクセスリンク構成要素２０２と、それへのアクセスを提供するためにコアネットワーク１０６の１つまたは複数の構成要素などの上流ノードと通信するバックホールリンク構成要素２０４を備える。リレーｅＮＢ１０４は、同様に、ドナーｅＮＢ１０２を通してコアネットワーク１０６へのアクセスを提供するために１つまたは複数の下流ノードと通信するアクセスリンク構成要素２０６と、コアネットワーク１０６へのアクセスを提供するためにドナーｅＮＢと通信するバックホールリンク構成要素２０８を備える。さらに、リレーｅＮＢ１０４は、コアネットワーク１０６の１つまたは複数の構成要素からＩＰアドレスなどのネットワークアドレスを得るアドレス受信構成要素２１０と、ネットワークアドレスに基づいてコアネットワーク１０６との通信トンネルを確立するトンネリング構成要素２１２を含むことができる。
【００４７】
一例によれば、リレーｅＮＢ１０４は、コアネットワーク１０６へのアクセスを受信するためにドナーｅＮＢ１０２との通信を確立することができる。この例では、リレーｅＮＢ１０４は、ドナーｅＮＢ１０２のアクセスリンク構成要素２０２にワイヤードまたはワイヤレスリンクを提供できるそのバックホールリンク構成要素２０８を介してドナーｅＮＢ１０２と通信することができる。一例では、バックホールリンク構成要素２０８は、（ＬＴＥエアインターフェースなどの）エアインターフェースを使用してドナーｅＮＢ１０２と通信することができる。説明したように、バックホールリンクは、一例では、ＬＴＥバックホールリンクとすることができる。ドナーｅＮＢ１０２は、リレーｅＮＢ１０４に対するアクセスを要求するためにそのバックホールリンク構成要素２０４を使用してコアネットワーク１０６と通信することができる。コアネットワーク１０６は、ＭＭＥ、ポリシーおよび課金ルール機能（ＰＣＲＦ）、１つまたは複数のゲートウェイなど、リレーｅＮＢ１０４を認証／許可するために１つまたは複数の構成要素（図示せず）を含むことができる。コアネットワーク１０６および／またはその１つまたは複数の構成要素は、リレーｅＮＢ１０４にネットワークアドレスを割り当て、バックホールリンク構成要素２０４を介してドナーｅＮＢ１０２にアドレスを通信することができる。ドナーｅＮＢ１０２は、アクセスリンク構成要素２０２を介してリレーｅＮＢ１０４にネットワークアドレス通信をフォワーディングすることができ、バックホールリンク構成要素２０８は通信を受信することができる。アドレス受信構成要素２１０は、ドナーｅＮＢ１０２を介してコアネットワーク１０６と通信する際に後で使用するために通信からアドレスを抽出することができる。これは、一例では、複数のドナーｅＮＢ間でシームレスに通信するために、リレーｅＮＢ１０４のモビリティをサポートすることができる。
【００４８】
一例では、トンネリング構成要素２１２は、アドレス受信構成要素２１０からネットワークアドレスを使用してコアネットワーク１０６との通信トンネルを確立することができる。たとえば、トンネリング構成要素２１２は、ネットワークアドレスに基づいてバックホールリンク構成要素２０８を介して送信する前にパケットにヘッダを追加するか、あるいはパケットをラッピングすることができる。そのようなラッピングは、プロトコルに従ってパケットをフォーマッティングすることを含むことができる。一例では、トンネリング構成要素２１２は、通信（たとえば、汎用パケット無線サービス（ＧＰＲＳ）トンネリングプロトコル（ＧＴＰ）−Ｕ／ユーザデータグラムプロトコル（ＵＤＰ）／データプレーン通信のＩＰヘッダ、制御プレーン通信のＳ１−ＭＭＥヘッダなど）をトンネリングするためにヘッダを生成し、ヘッダをパケットに適用することができる。これは、たとえば、パケットの始めにヘッダを挿入すること、ヘッダをもつ新しいパケットを作成すること、パケットからの情報を新しいパケットに挿入することなどを含むことができる。さらに、ヘッダは、ネットワークアドレスに従ってリレーｅＮＢ１０４を識別することができる。この点について、アクセスリンク構成要素２０２は、パケットを受信することができ、バックホールリンク構成要素２０４は、ヘッダまたは他のラッピングに少なくとも部分的に基づいてパケットをコアネットワーク１０６（および／またはその１つまたは複数の構成要素）に適宜にフォワーディングすることができる。一例では、バックホールリンク構成要素２０４は、（たとえば、プロトコルまたは示されたアドレスに基づいて）ヘッダまたはラッピングに従って宛先アドレスまたは構成要素を識別し、コアネットワーク１０６またはその構成要素（サービングゲートウェイ（ＳＧＷ）、公衆データネットワーク（ＰＤＮ）ゲートウェイ（ＰＧＷ）、ＭＭＥなど）にパケットを適宜にフォワーディングすることができる。別の例では、コアネットワーク１０６の１つまたは複数の構成要素は、ヘッダまたは他のパケットデータ中の情報に基づいて適切な宛先にパケットをフォワーディングし続けることができる。同様に、コアネットワーク１０６は、割り当てられたネットワークアドレスに基づいて（たとえば、各ホップ（hop）ごとにＧＴＰ−Ｕ／ＵＤＰ／ＩＰヘッダまたはＳ１−ＭＭＥヘッダを追加することによって）ドナーｅＮＢ１０２を通してリレーｅＮＢ１０４にトンネリングできる応答パケットを生成することができる。
【００４９】
図３を参照すると、ＵＥリレー機能を提供する例示的なワイヤレス通信ネットワーク３００が示されている。ネットワーク３００は、説明したように、ワイヤレスネットワークへのアクセスを受信するためにリレーｅＮＢ１０４と通信するＵＥ１１０を含む。リレーｅＮＢ１０４は、ワイヤレスネットワークへのアクセスを提供するためにドナーｅＮＢ１０２と通信することができ、説明したように、ドナーｅＮＢ１０２は、リレーｅＮＢ１０４に関係できるＳＧＷ３０４と通信することができる。ＳＧＷ３０４は、ＳＧＷ３０４および／または追加のＳＧＷへのネットワークアクセスを提供するＰＧＷ３０６に接続または結合することができる。ＰＧＷ３０６は、リレーｅＮＢ１０４がネットワークを使用することを認証／許可するために、リレーｅＮＢ１０４にアドレス指定を提供するためにＩＰ多重サブシステム（ＩＭＳ）３１０を利用できるＰＣＲＦ３０８と通信することができる。さらに、ＳＧＷ３０４は、ドナーｅＮＢ１０２を介したリレーｅＮＢ１０４からの通信を可能にするためにＭＭＥ３０２に接続することができる。
【００５０】
一例によれば、ＭＭＥ３０２、ＳＧＷ３０４、および／またはＰＧＷ３０６は、クラスタ中の実質的にすべてのリレーｅＮＢをサービスするドナーｅＮＢ１０２に関係することができる。ＰＧＷ３１８が、ＵＥ１１０にアドレス指定を提供する場合、ＵＥ１１０はまた、関連するＳＧＷ３１６およびＰＧＷ３１８を有することができる。ＰＧＷ３０６は、そのようなアクセスを提供するためにＳＧＷ３１６およびＰＧＷ３１８と通信することができる。追加または代替として、ＰＧＷ３１８は、ネットワークアクセスを提供するためにＰＣＲＦ３０８および／またはインターネット３１２と通信することができる。さらに、たとえば、ＳＧＷ３１６は、ＵＥ１１０からの制御プレーン通信を可能にするために、ＵＥ１１０に関係できるＭＭＥ３１４と通信することができる。ＭＭＥ３０２とＭＭＥ３１４とは、一例では、同じＭＭＥとすることができることを諒解されたい。同様に、たとえば、ＳＧＷ３０４とＳＧＷ３１６とは同じＳＧＷとすることができ、ＰＧＷ３０６とＰＧＷ３１８とは同じＰＧＷとすることができる。
【００５１】
一例では、ＵＥ１１０は、説明したように、Ｅ−ＵＴＲＡ−Ｕｕインターフェースを介してリレーｅＮＢ１０４と通信することができ、リレーｅＮＢ１０４機能は、ドナーｅＮＢ１０２においてＵＥと同様なので、リレーｅＮＢ１０４は、Ｅ−ＵＴＲＡ−Ｕｕインターフェースを使用してドナーｅＮＢ１０２と通信することができる。ドナーｅＮＢ１０２は、図示のように、（たとえばＳＧＷ３０４を介して）Ｓ１−ＭＭＥインターフェースを使用してＭＭＥ３０２と、Ｓ１−Ｕインターフェースを介してＳＧＷ３０４およびＰＧＷ３０６と通信する。さらに、図示のように、Ｓ１１インターフェースを使用して、ＭＭＥ３０２はＳＧＷ３０４と、ＭＭＥ３１４はＳＧＷ３１６と通信することができる。ＰＧＷ３０６および３１８は、Ｇｘインターフェースを介してＰＣＲＦ３０８と通信することができる。さらに、ＰＣＲＦ３０８は、Ｒｘインターフェースを使用してＩＭＳ３１０と通信することができ、ＰＧＷ３１８は、ＳＧｉインターフェースを使用してＩＭＳ３１０および／またはインターネット３１２と通信することができる。
【００５２】
一例では、リレーｅＮＢ１０４は、ドナーｅＮＢ１０２を通してワイヤレスネットワークへのアクセスを要求することができる。ドナーｅＮＢ１０２は、ＰＣＲＦ３０８にアクセスするためにＰＧＷ３０６と通信できるＳＧＷ３０４と通信することができる。図示のように、ＰＧＷ３０６は、直接および／またはＳＧＷ３１６とＰＧＷ３１８とを介してＰＣＲＦ３０８にアクセスできることを諒解されたい。ＰＣＲＦは、リレーｅＮＢ１０４を認証／許可することができ、ＰＧＷ３０６は、リレーｅＮＢ１０４に対してＩＰアドレスなどのネットワークアドレスを割り当てることができる。ネットワークアドレスは、リレーｅＮＢ１０４にアドレスを通信できるドナーｅＮＢ１０２へ、通信することができる。ネットワークアドレスを使用して、説明したように、リレーｅＮＢ１０４は、ドナーｅＮＢ１０２を通してＳＧＷ３０４にデータプレーン通信をトンネリングすることができる。この点について、ドナーｅＮＢ１０２は、説明したように、リレーｅＮＢ１０４から送信されたパケットをＳＧＷ３０４にフォワーディングし、トンネリングプロトコルで公開される情報（ＧＴＰ−Ｕ／ＵＤＰ／ＩＰヘッダ中の情報など）または他の情報に基づいてＳＧＷ３０４からリレーｅＮＢ１０４にパケットをルーティングすることができる。したがって、ＰＧＷ３０６からリレーｅＮＢ１０４に同じアプリケーションプロトコル（たとえば、Ｓ１−Ｕアプリケーションプロトコル）および／またはトランスポートレイヤプロトコルを使用することができる。一例では、説明したように、ＭＭＥ３０２に対する制御プレーンパケットは、ドナーｅＮＢ１０２を通して、Ｓ１−ＭＭＥインターフェースプロトコルを使用してＭＭＥ３０２にフォワーディングするためのＳＧＷ３０４にトンネリングすることができ、ＭＭＥ３０２からのリレーｅＮＢ１０４に対するパケットは、ＳＧＷ３０４にフォワーディングし、ドナーｅＮＢ１０２を通してリレーｅＮＢ１０４にトンネリングすることができる。ＵＥ１１０は、同様に、ＰＧＷ３１８からアドレスを受信することができ、それに対する（および／またはＭＭＥ３１４に対する）通信をリレーｅＮＢ１０４と、ドナーｅＮＢ１０２と、ＳＧＷ３０４と、ＰＧＷ３０６と、ＳＧＷ３１６とを通してトンネリングすることができる。
【００５３】
複数のリレーｅＮＢ（図示せず）がある場合、ＵＥ１１０からドナーｅＮＢ１０２への経路中の各リレーｅＮＢはそれぞれ、ＩＰアドレスを受信し、アドレスを使用してそれに応じて通信をトンネリングできることを諒解されたい。したがって、ドナーｅＮＢ１０２との間で送信される通信は、たとえば、複数のヘッダまたはラッピング（複数のＧＴＰ−Ｕ／ＵＤＰ／ＩＰヘッダなど）を有することができる。ｅＮＢ間の各ホップにおいて、ヘッダがドナーｅＮＢに到達するまでヘッダを上流パケットに追加すること、またはヘッダが最後のｅＮＢに到達するまでヘッダを下流パケットから削除することが可能である。これは、様々なｅＮＢ間のバックホールリンク通信上でＵＤＰ／ＩＰルーティングする必要性を緩和する。さらに、スループットおよび／またはセキュリティを向上するためにヘッダを圧縮することができる。さらに別の例では、ＭＭＥ３０２、ＳＧＷ３０４および／またはＰＧＷ３０６をドナーｅＮＢ１０２内に実装することができ、ドナーｅＮＢ１０２は、ローカルアドレスをリレーｅＮＢ１０４に割り当てることができる。これはローカルブレークアウト構成と呼ばれることがある。この例では、ＰＧＷ３０６はさらに、ＰＣＲＦ３０８へのアクセスを提供するホームアクセスサーバ（ＨＡ）／ＰＧＷ（図示せず）と通信することができる。
【００５４】
図４を参照すると、データ（たとえば、ユーザ）プレーン通信のためのＵＥリレー機能を提供するためにワイヤレスネットワーク中で通信することを可能にする例示的なプロトコルスタック４００が示されている。物理レベル１（Ｌ１）レイヤと、媒体アクセス制御（ＭＡＣ）レイヤと、無線リンク制御（ＲＬＣ）レイヤと、パケットデータコンバージェンスプロトコル（ＰＤＣＰ）レイヤと、ＩＰレイヤとを備えるＵＥプロトコルスタック４０２が示されている。Ｌ１レイヤと、ＭＡＣレイヤと、ＲＬＣレイヤと、ＰＤＣＰレイヤとを有するＲｅＮＢアクセスリンクプロトコルスタック４０４、ならびに、説明したように、トンネリング通信をサポートするためにＬ１レイヤと、一例では圧縮または合成レイヤとすることができるＲＬＣ／ＭＡＣレイヤと、ＰＤＣＰレイヤと、ＧＴＰ−Ｕ／ＵＤＰ／ＩＰレイヤとを有するＲｅＮＢバックホールリンクプロトコルスタック４０６が、示されている。また、Ｌ１レイヤと、ＲＬＣ／ＭＡＣレイヤと、ＰＤＣＰレイヤとを有するＣｅＮＢアクセスリンクプロトコルスタック４０８、ならびに、Ｌ１レイヤと、レベル２物理レイヤ（Ｌ２）と、別のＧＴＰ−Ｕ／ＵＤＰ／ＩＰレイヤとを有するＣｅＮＢバックホールリンクプロトコルスタック４１０が、示されている。ＲｅＮＢ  ＰＧＷ／ＳＧＷアクセスリンクプロトコルスタック４１２は、Ｌ１レイヤと、Ｌ２レイヤと、ＧＴＰ−Ｕ／ＵＤＰ／ＩＰレイヤを有し、ＲｅＮＢ  ＰＧＷ／ＳＧＷバックホールリンクプロトコルスタック４１４は、Ｌ１レイヤとＬ２レイヤを有する。ＵＥ  ＰＧＷ／ＳＧＷプロトコルスタック４１６は、Ｌ１レイヤと、Ｌ２レイヤと、ＧＴＰ−Ｕ／ＵＤＰ／ＩＰレイヤと、ＩＰレイヤを有する。
【００５５】
一例によれば、ＵＥは、ＵＥ  ＰＧＷ／ＳＧＷへのアクセスを受信するためにＲｅＮＢと通信することができる。この点について、ＵＥは、プロトコルスタック４０２とプロトコルスタック４０４との間に示すように、ＥＵＴＲＡ−Ｕｕインターフェースを使用して、Ｌ１レイヤと、ＭＡＣレイヤと、ＲＬＣレイヤと、ＰＤＣＰレイヤとを介してＲｅＮＢと通信することができる。ＵＥは、プロトコルスタック４０２とプロトコルスタック４１６との間に示すように、ＵＥにＩＰアドレスを割り当てるＵＥ  ＰＧＷ／ＳＧＷにＲｅＮＢおよび他のエンティティを通してＩＰレイヤ通信をトンネリングすることができる。そのようなトンネリングを可能にするために、ＲｅＮＢは、同じくＲｅＮＢにＩＰアドレスを割り当てることができるＵＥ  ＰＧＷ／ＳＧＷへのアクセスを得るためにＣｅＮＢと通信する。この点について、ＲｅＮＢは、プロトコルスタック４０６とプロトコルスタック４０８との間に示すように、Ｓ１−Ｕインターフェースを介してＬ１レイヤと、ＲＬＣ／ＭＡＣレイヤと、ＰＤＣＰレイヤとを介してＣｅＮＢと通信し、プロトコルスタック４０６とプロトコルスタック４１６との間に示すように、ＩＰ通信をＧＴＰ−Ｕ／ＵＤＰ／ＩＰレイヤ中でＵＥ  ＰＧＷ／ＳＧＷにトンネリングする。したがって、ＧＴＰ、ＵＤＰ、およびＩＰヘッダは、バックホールを介して送信される。次いで、ＣｅＮＢは、ＲｅＮＢとＵＥ  ＰＧＷ／ＳＧＷとの間の通信をトンネリングすることを可能にするために、プロトコルスタック４１０とプロトコルスタック４１２との間に示すように、Ｓ１−Ｕインターフェースを使用してＬ１レイヤと、Ｌ２レイヤと、ＧＴＰ−Ｕ／ＵＤＰ／ＩＰレイヤとを介してリレーＰＧＷ／ＳＧＷと通信する。次いで、リレーＰＧＷ／ＳＧＷは、プロトコルスタック４１４とプロトコルスタック４１６との間に示すように、ＣｅＮＢからのトンネリング通信を提供するために、Ｓ１−Ｕインターフェースを使用してＬ１およびＬ２レイヤを介してＵＥ  ＰＧＷ／ＳＧＷと通信することができる。この点について、ＵＥ  ＰＧＷ／ＳＧＷは、本明細書で説明するように、ＵＥおよびＲｅＮＢとトンネリングＩＰ通信を維持することができる。さらに、ＲｅＮＢ間の追加ホップについて、説明したように、ＲｅＮＢにはＩＰアドレスが割り当てられることになるので、ＵＥ  ＰＧＷ／ＳＧＷからの通信をルーティングするためにＧＴＰ−Ｕ／ＵＤＰ／ＩＰヘッダを追加することができる。一例では、これは、バックホール上でＵＤＰ／ＩＰルーティングする必要性、バックホール上で特殊な無線ベアラを定義する必要性などを緩和する。さらに、アップリンク通信に関して説明したが、ダウンリンク通信にもプロトコルスタックを使用できることを諒解されたい。
【００５６】
次に図５を参照すると、制御プレーン通信のためのＵＥリレー機能を提供するためにワイヤレスネットワーク中で通信することを可能にする例示的なプロトコルスタック５００が示されている。Ｌ１レイヤと、ＲＬＣ／ＭＡＣレイヤと、ＰＤＣＰレイヤと、ストリーム制御送信プロトコル（ＳＣＴＰ）／ＩＰレイヤと、Ｓ１アプリケーションプロトコル（Ｓ１−ＡＰ）レイヤとを備えるＲｅＮＢプロトコルスタック５０２が、示されている。また、Ｌ１レイヤと、ＲＬＣ／ＭＡＣレイヤと、ＰＤＣＰレイヤとを有するＣｅＮＢアクセスリンクプロトコルスタック５０４、ならびに、Ｌ１レイヤと、Ｌ２レイヤと、ＧＴＰ−Ｕ／ＵＤＰ／ＩＰレイヤとを有するＣｅＮＢバックホールリンクプロトコルスタック５０６が、示されている。ＲｅＮＢ  ＰＧＷ／ＳＧＷアクセスリンクプロトコルスタック５０８は、Ｌ１レイヤと、Ｌ２レイヤと、ＧＴＰ−Ｕ／ＵＤＰ／ＩＰレイヤを有し、ＲｅＮＢ
ＰＧＷ／ＳＧＷバックホールリンクプロトコルスタック５１０は、Ｌ１レイヤとＬ２レイヤを有する。ＭＭＥプロトコルスタック５１２は、Ｌ１レイヤと、Ｌ２レイヤと、ＳＣＴＰ／ＩＰレイヤと、Ｓ１−ＡＰレイヤを有する。
【００５７】
一例によれば、ＲｅＮＢは、制御プレーン通信を可能にするために、プロトコルスタック５０２とプロトコルスタック５０４との間に示すように、Ｓ１−ＭＭＥインターフェースを使用してＬ１レイヤと、ＲＬＣ／ＭＡＣレイヤと、ＰＤＣＰレイヤとを介してＣｅＮＢと通信することができる。この点について、ＲｅＮＢは、プロトコルスタック５０２とプロトコルスタック５１２との間に示すように、ＳＣＴＰ／ＩＰレイヤとＳ１−ＡＰレイヤとをＭＭＥにトンネリングすることができる。そのようなトンネリングを可能にするために、ＣｅＮＢは、プロトコルスタック５０６とプロトコルスタック５０８との間に示すように、Ｓ１−Ｕインターフェースを使用して、説明したように、Ｌ１レイヤと、Ｌ２レイヤと、ＧＴＰ−Ｕ／ＵＤＰ／ＩＰレイヤとを介してリレーＰＧＷ／ＳＧＷと通信することができる。この点について、ＣｅＮＢは、リレーＰＧＷ／ＳＧＷとＧＴＰ−Ｕ／ＵＤＰ／ＩＰセッションを確立することによって、Ｓ１−ＡＰおよびＳＣＴＰ／ＩＰレイヤ通信をトンネリングする。リレーＰＧＷ／ＳＧＷは、プロトコルスタック５１０とプロトコルスタック５１２との間に示すように、Ｌ１レイヤおよびＬ２レイヤ通信をＭＭＥと通信することができる。この点について、ＭＭＥは、本明細書で説明するように、ＲｅＮＢとトンネリングＩＰ通信を維持することができる。さらに、ＲｅＮＢ間の追加ホップについて、説明したように、ＲｅＮＢにはＩＰアドレスが割り当てられることになるので、ＵＥ  ＰＧＷ／ＳＧＷからの通信をルーティングするためにＧＴＰ−Ｕ／ＵＤＰ／ＩＰヘッダを追加することができる。一例では、これは、バックホール上でＵＤＰ／ＩＰルーティングする必要性、バックホール上で特殊な無線ベアラ（radio bearers）を定義する必要性などを緩和する。さらに、アップリンク制御プレーン通信に関して説明したが、ダウンリンク制御プレーン通信にもプロトコルスタックを使用できることを諒解されたい。
【００５８】
次に図６を参照すると、ＵＥリレーを使用してローカルブレークアウト構成中でワイヤレスネットワークカバレージを拡大すること、スループットを増加することなどを行うことを可能にする例示的なワイヤレス通信システム６００が示されている。システム６００は、コアネットワーク１０６へのアクセスをもつリレーｅＮＢ１０４（および／または他のリレーｅＮＢ）を提供するドナーｅＮＢ１０２を含む。さらに、説明したように、リレーｅＮＢ１０４は、ドナーｅＮＢ１０２を通してコアネットワーク１０６へのアクセスをもつリレーｅＮＢ１０８および／またはＵＥ１１０を提供することができる。さらに、リレーｅＮＢ１０８は、一例では、リレーｅＮＢ１０４の構成要素を備え、同様の機能を提供することができることを諒解されたい。さらに、ドナーｅＮＢ１０２は、マクロセルアクセスポイント、フェムトセルアクセスポイント、ピコセルアクセスポイント、移動無線ベースステーションなどとすることができる。リレーｅＮＢ１０４は、同様に、説明したように、ワイヤレスまたはワイヤードバックホールを介してドナーｅＮＢ１０２と通信するモバイルまたは固定リレーノードとすることができる。
【００５９】
ドナーｅＮＢ１０２は、コアネットワーク１０６へのアクセスを提供するためにリレーｅＮＢ１０４などの１つまたは複数の下流ノードと通信するアクセスリンク構成要素２０２と、それへのアクセスを提供するためにコアネットワーク１０６の１つまたは複数の構成要素などの上流ノードと通信するバックホールリンク構成要素２０４とを備える。さらに、ドナーｅＮＢ１０２は、説明したように、コアネットワーク１０６と通信するＰＧＷ３０６を含み、ＰＧＷ３０６は、ＩＰアドレスなどのローカルアドレスを１つまたは複数のリレーｅＮＢに割り当てるアドレス指定構成要素６０２とリレーｅＮＢとの通信トンネルを作成するトンネル確立構成要素６０４を含むことができる。リレーｅＮＢ１０４は、同様に、ドナーｅＮＢ１０２を通してコアネットワーク１０６へのアクセスを提供するために１つまたは複数の下流ノードと通信するアクセスリンク構成要素２０６と、コアネットワーク１０６へのアクセスを提供するためにドナーｅＮＢと通信するバックホールリンク構成要素２０８とを備える。さらに、リレーｅＮＢ１０４は、コアネットワーク１０６の１つまたは複数の構成要素からＩＰアドレスなどのネットワークアドレスを得るアドレス受信構成要素２１０と、ネットワークアドレスに基づいてコアネットワーク１０６との通信トンネルを確立するトンネリング構成要素２１２とを含むことができる。
【００６０】
一例によれば、リレーｅＮＢ１０４は、コアネットワーク１０６へのアクセスを受信するためにドナーｅＮＢ１０２との通信を確立することができる。この例では、リレーｅＮＢ１０４は、ドナーｅＮＢ１０２のアクセスリンク構成要素２０２にワイヤードまたはワイヤレスリンクを提供できるそのバックホールリンク構成要素２０８を介してドナーｅＮＢ１０２と通信することができる。一例では、バックホールリンク構成要素２０８は、（ＬＴＥエアインターフェースなどの）エアインターフェースを使用してドナーｅＮＢ１０２と通信することができる。説明したように、バックホールリンクは、一例では、ＬＴＥバックホールリンクとすることができる。ドナーｅＮＢ１０２は、リレーｅＮＢ１０４に対するアクセスを要求するためにそのバックホールリンク構成要素２０４を使用してコアネットワーク１０６と通信することができる。コアネットワーク１０６は、ＭＭＥ、ＰＣＲＦなど、リレーｅＮＢ１０４を認証／許可するために１つまたは複数の構成要素（図示せず）を含むことができる。一例では、ＰＧＷ３０６は、コアネットワーク１０６の１つまたは複数の構成要素と通信することができる。さらに、ドナーｅＮＢ１０２は、ＳＧＷおよび／またはＭＭＥ（図示せず）を備えることができる。アドレス指定構成要素６０２は、後続の通信を可能にするために、リレーｅＮＢ１０４にローカルＩＰアドレスを割り当てることができる。ドナーｅＮＢ１０２は、アクセスリンク構成要素２０２を介してリレーｅＮＢ１０４にネットワークアドレス通信をフォワーディングすることができ、バックホールリンク構成要素２０８は通信を受信することができる。アドレス受信構成要素２１０は、ドナーｅＮＢ１０２を介してコアネットワーク１０６と通信する際に後で使用するために通信からアドレスを得ることができる。これは、一例では、リレーｅＮＢ１０４のモビリティをサポートすることができる。
【００６１】
一例では、トンネリング構成要素２１２は、アドレス受信構成要素２１０からのネットワークアドレスを使用してトンネル確立構成要素６０４との通信トンネルをセットアップすることができる。たとえば、トンネリング構成要素２１２は、ネットワークアドレスに基づいてバックホールリンク構成要素２０８を介して送信する前にパケットにヘッダを追加するか、あるいはパケットをラッピングすることができる。そのようなラッピングは、プロトコルに従ってパケットをフォーマッティングすることを含むことができる。一例では、トンネリング構成要素２１２は、データプレーン通信のＧＴＰ−Ｕ／ＵＤＰ／ＩＰヘッダを生成し、パケットにヘッダを適用すること（たとえば、パケットの始めにヘッダを挿入すること、ヘッダをもつ新しいパケットを作成すること、パケットから新しいパケットに情報を挿入することなど）ができる。この点について、トンネル確立構成要素６０４は、アクセスリンク構成要素２０２を介してパケットを受信することができる。ＰＧＷは、たとえば、パケットに従ってデータを取り出すためにコアネットワーク１０６の１つまたは複数の構成要素（ＭＭＥ、ＳＧＷなど）と通信することができる。
【００６２】
図７を参照すると、前述のように、ネットワークカバレージを拡大するために、および／またはスループットを増加するためにセルリレー機能を提供する例示的なワイヤレス通信システム７００が示されている。システム７００は、コアネットワーク１０６へのアクセスをもつリレーｅＮＢ１０４（および／または１つまたは複数の追加のリレーｅＮＢ）を提供するドナーｅＮＢ１０２を含む。さらに、説明したように、リレーｅＮＢ１０４は、ドナーｅＮＢ１０２を通してリレーｅＮＢ１０８および／またはＵＥ１１０へのコアネットワークアクセスを提供することができる。また、説明したように、ドナーｅＮＢ１０２は、マクロセルアクセスポイント、フェムトセルアクセスポイント、ピコセルアクセスポイント、移動無線ベースステーションなどとすることができ、リレーｅＮＢ１０４は、同様に、ワイヤレスまたはワイヤードバックホールを介してドナーｅＮＢ１０２と通信するモバイルまたは固定リレーノードとすることができる。
【００６３】
ドナーｅＮＢ１０２は、コアネットワーク１０６へのアクセスを提供するためにリレーｅＮＢ１０４などの１つまたは複数の下流ノードと通信するアクセスリンク構成要素２０２と、それへのアクセスを提供するためにコアネットワーク１０６の１つまたは複数の構成要素などの上流ノードと通信するバックホールリンク構成要素２０４と、コアネットワーク１０６からのアプリケーションレイヤ通信をフォワーディングするためのリレーｅＮＢ１０４とトランスポートレイヤプロトコルを確立するトランスポートプロトコル定義構成要素７０２と、コアネットワーク１０６から受信した通信中のトランスポートレイヤからアプリケーションレイヤデータを分離し、リレーｅＮＢ１０４に通信するためのトランスポートプロトコル定義構成要素７０２によって生成されるトランスポートプロトコルに従ってアプリケーションレイヤデータをトランスポートレイヤに挿入するトランスポート変換構成要素７０４を、備える。リレーｅＮＢ１０４は、同様に、ドナーｅＮＢ１０２を通してコアネットワーク１０６へのアクセスを提供するために１つまたは複数の下流ノードと通信するアクセスリンク構成要素２０６と、コアネットワーク１０６へのアクセスを提供するためにドナーｅＮＢ１０２と通信するバックホールリンク構成要素２０８を備える。
【００６４】
一例によれば、リレーｅＮＢ１０４は、（たとえば、リレーｅＮＢ１０８、ＵＥ１１０などに代わって）コアネットワーク１０６へのアクセスを受信するためにドナーｅＮＢ１０２との通信を確立することができる。この例では、リレーｅＮＢ１０４は、ドナーｅＮＢ１０２のアクセスリンク構成要素２０２にワイヤードまたはワイヤレスリンクを提供できるそのバックホールリンク構成要素２０８を介してドナーｅＮＢ１０２と通信することができる。一例では、バックホールリンク構成要素２０８は、（ＬＴＥエアインターフェースなどの）エアインターフェースを使用してドナーｅＮＢ１０２と通信することができる。説明したように、バックホールリンクは、一例では、ＬＴＥバックホールリンクとすることができる。トランスポートレイヤにおけるコアネットワーク１０６からの通信は、説明したように、ドナーｅＮＢ１０２において終了することができる。したがって、ドナーｅＮＢ１０２は、ｅＮＢが１つまたは複数のセルに適切なデータを提供するのとほとんど同様に、適切な接続されたリレーｅＮＢ１０４にデータを提供することを担当する。この点について、本明細書では、上述のように、この構成におけるリレーｅＮＢ１０４をセルリレーと呼ぶ。
【００６５】
一例では、リレーｅＮＢ１０４は、ドナーｅＮＢ１０２とリレーｅＮＢ１０４とが仕様、構成などに従って利用する、圧縮トランスポートレイヤ構成、非トランスポートレイヤ、または何らかの他のトランスポートレイヤ構成を使用して、通信をバックホールリンク構成要素２０８を介してドナーｅＮＢ１０２に制御またはデータプレーン中で送信することができ、アクセスリンク構成要素２０２は通信を受信することができる。トランスポートプロトコル定義構成要素７０２は、コアネットワーク１０６に適したトランスポートプロトコル（ＭＭＥの場合はストリーム制御送信プロトコル（ＳＣＴＰ）、ＳＧＷの場合はＧＴＰ−Ｕ／ＵＤＰ／ＩＰなど）を介してデータまたは制御プレーン通信を通信するためのパケットを生成することができ、トランスポート変換構成要素７０４は、生成されたパケット中に通信を配置することができる。バックホールリンク構成要素２０４はパケットをコアネットワーク１０６に送信することができる。一例では、ドナーｅＮＢ１０２は、コアネットワーク１０６からの応答パケットを識別することを可能にするために、パケット中にリレーｅＮＢ１０４の識別子（たとえば、ＭＭＥの場合はＳＣＴＰを介するＳ１−ＡＰメッセージ中のｅＮＢ識別子、ＳＧＷの場合はＧＴＰ−Ｕヘッダのトンネルエンドポイント識別子（ＴＥＩＤ）など）を含むことができる。したがって、バックホールリンク構成要素２０４は、同様のＳＣＴＰまたはＧＴＰ−Ｕ／ＵＤＰ／ＩＰパケット中に示された識別子をもつ応答パケットを受信することができる。トランスポートプロトコル定義構成要素７０２は、トランスポートプロトコルを介してリレーｅＮＢ１０４に送信するためのパケットを構築することができ、このパケットは、一例では、ＳＣＴＰまたはＧＴＰ−Ｕ／ＵＤＰ／ＩＰの圧縮形態を使用することができ、トランスポート変換構成要素７０４は、応答パケット中で受信したデータを構築されたパケットに変換することができる。
【００６６】
一例では、トランスポート変換構成要素７０４は、トランスポートレイヤ通信からアプリケーションレイヤ通信を分離することができ、アプリケーションレイヤ部分を乱すことがないようにアプリケーションレイヤ部分を構築されたパケット中に配置することができる。アプリケーションレイヤプロトコルは、説明したように、制御プレーン通信の場合はＳ１−ＭＭＥインターフェースの一部、データプレーン通信の場合はＳ１−Ｕインターフェースの一部などとすることができる。アクセスリンク構成要素２０２は、構築されたパケットを受信するためにリレーｅＮＢ１０４を判断することができ、一例では、これは、コアネットワーク１０６によって示された（たとえば、ＳＣＴＰを介したＳ１−ＡＰ応答メッセージ中、ＧＴＰ−Ｕ／ＵＤＰ／ＩＰヘッダのＴＥＩＤ中などの）識別子に基づいて判断することができ、識別子は、説明したように、コアネットワーク１０６に最初に送信された識別子に関係することができる。アクセスリンク構成要素２０２は、識別子に従って、構築されたパケットをリレーｅＮＢ１０４に送信することができる。バックホールリンク構成要素２０８は、パケットを受信し、説明したように、圧縮ＳＣＴＰ、ＧＴＰ−Ｕ／ＵＤＰ／ＩＰ、または他のトランスポートレイヤとすることができる、リレーｅＮＢ１０４とドナーｅＮＢ１０２との間で使用されるトランスポートレイヤプロトコルに従って、データを復号することができる。一例では、バックホールリンク構成要素２０８は、圧縮トランスポートレイヤ中の情報に少なくとも部分的に基づいてバックホールリンクプロトコルを判断し、判断されたバックホールプロトコルに従ってデータを復号することができる。この点について、リレーｅＮＢ１０４とドナーｅＮＢ１０２とは、バックホールリンクプロトコルを圧縮トランスポートレイヤに関連付けることができる。データがリレーｅＮＢ１０８またはＵＥ１１０に対するものである場合、アクセスリンク構成要素２０６は、それにデータをフォワーディングすることができる。アクセスリンク構成要素２０６は、同様に、パケット中の追加のＳＣＴＰまたはＧＴＰ−Ｕ／ＵＤＰ／ＩＰヘッダからそのようなことを判断できることを諒解されたい。
【００６７】
次に図８を参照すると、セルリレー機能を提供する例示的なワイヤレス通信ネットワーク８００が示されている。ネットワーク８００は、説明したように、ワイヤレスネットワークへのアクセスを受信するためにリレーｅＮＢ１０４と通信するＵＥ１１０を含む。リレーｅＮＢ１０４は、ワイヤレスネットワークへのアクセスを提供するためにドナーｅＮＢ１０２と通信することができ、説明したように、ドナーｅＮＢ１０２は、リレーｅＮＢ１０４に関係するＭＭＥ３０２および／またはＳＧＷ３０４と通信することができる。ＳＧＷ３０４は、ＳＧＷ３０４および／または追加のＳＧＷへのネットワークアクセスを提供するＰＧＷ３０６に接続または結合することができる。ＰＧＷ３０６は、ＵＥ１１０がネットワークを使用することを認証／許可するために、ＵＥ１１０および／またはリレーｅＮＢ１０４にアドレス指定を提供するためにＩＭＳ３１０を利用できるＰＣＲＦ３０８と通信することができる。
【００６８】
一例によれば、ＭＭＥ３０２および／またはＳＧＷ３０４とＰＧＷ３０６とは、クラスタ中の実質的にすべてのリレーｅＮＢをサービスするドナーｅＮＢ１０２に関係することができる。ドナーｅＮＢ１０２はまた、ＰＧＷ３１８が、リレーｅＮＢ１０４と、ドナーｅＮＢ１０２と、ＳＧＷ３１６とを通してそれに対する通信をトンネリングすることを可能にするためにＵＥ１１０にネットワークアドレスを割り当てることができるように、ＵＥ１１０に関係するＳＧＷ３１６およびＰＧＷ３１８と通信することができる。さらに、たとえば、ＳＧＷ３１６は、ＵＥ１１０との間で制御プレーン通信を可能にするためにＭＭＥ３１４と通信することができる。ＭＭＥ３０２とＭＭＥ３１４は、一例では、同じＭＭＥとすることができることを諒解されたい。ＰＧＷ３１８は、同様に、ＵＥ１１０を認証／許可するために、ＩＭＳ３１０と通信できるＰＣＲＦ３０８と通信することができる。さらに、ＰＧＷ３１８は、ＩＭＳ３１０および／またはインターネット３１２と直接通信することができる。
【００６９】
一例では、ＵＥ１１０は、説明したように、Ｅ−ＵＴＲＡ−Ｕｕインターフェースを介してリレーｅＮＢ１０４と通信することができ、リレーｅＮＢ１０４は、Ｅ−ＵＴＲＡ−Ｕｕインターフェースまたは他のインターフェースを使用してドナーｅＮＢ１０２と通信することができる。ドナーｅＮＢ１０２は、図示のように、Ｓ１−ＭＭＥインターフェースを使用してＭＭＥ３０２と、Ｓ１−Ｕインターフェースを介してＳＧＷ３０４およびＰＧＷ３０６と通信する。Ｓ１−ＭＭＥおよびＳ１−Ｕインターフェースを介して使用されるトランスポートレイヤは、説明したように、ドナーｅＮＢ１０２において終了される。この点について、ＭＭＥ３０２またはＳＧＷ３０４からのリレーｅＮＢ１０４に対する通信を受信すると、ドナーｅＮＢ１０２は、新しいトランスポートレイヤパケットを定義し、アプリケーションレイヤ通信を新しいトランスポートレイヤパケット中で（一例では、Ｅ−ＵＴＲＡ−Ｕｕインターフェースを介して）リレーｅＮＢ１０４に送信することによってトランスポートレイヤからアプリケーションレイヤを分離する。
【００７０】
制御プレーン通信をリレーｅＮＢ１０４からＭＭＥ３０２に送信すると、ドナーｅＮＢ１０２は、（たとえば、Ｓ１−ＡＰメッセージ中で）リレーｅＮＢ１０４の識別子を示すことができ、ＭＭＥ３０２は、ドナーｅＮＢ１０２への応答通信中で識別子を送信することができる。データプレーン通信をリレーｅＮＢ１０４からＳＧＷ３０４に送信するとき、ドナーｅＮＢ１０２は、リレーｅＮＢ１０４を識別するためにＧＴＰ−ＵヘッダのＴＥＩＤ中にリレーｅＮＢ１０４の識別子を挿入することができ、ＳＧＷ３０４は、リレーｅＮＢ１０４が変換パケットを受信すべきかをドナーｅＮＢ１０２が判断できるように応答ＧＴＰ−Ｕヘッダ中でＴＥＩＤを送信することができる。これらの上記の機能は、たとえば、様々なｅＮＢ間のバックホールリンク上でＵＤＰ／ＩＰルーティングする必要性を緩和することができる。さらに、一例では、説明したように、ヘッダを圧縮することができる。図示のように、ＭＭＥ３０２はＳＧＷ３０４と、ＭＭＥ３１４はＳＧＷ３１６とＳ１１インターフェースを使用して通信することができる。ＰＧＷ３０６および３１８は、Ｇｘインターフェースを介してＰＣＲＦ３０８と通信することができる。さらに、ＰＣＲＦ３０８は、Ｒｘインターフェースを使用してＩＭＳ３１０と通信することができ、ＰＧＷ３１８は、ＳＧｉインターフェースを使用してＩＭＳ３１０および／またはインターネット３１２と通信することができる。
【００７１】
図９を参照すると、データ（たとえば、ユーザ）プレーン通信のためのセルリレー機能を提供するためにワイヤレスネットワーク中で通信することを可能にする例示的なプロトコルスタック９００が示されている。Ｌ１レイヤと、ＭＡＣレイヤと、ＲＬＣレイヤと、ＰＤＣＰレイヤと、ＩＰレイヤとを備えるＵＥプロトコルスタック９０２が示されている。Ｌ１レイヤと、ＭＡＣレイヤと、ＲＬＣレイヤと、ＰＤＣＰレイヤとを有するＲｅＮＢアクセスリンクプロトコルスタック９０４、ならびに、（たとえば、前述のように、ＲｅＮＢアドレスをもつＴＥＩＤをポピュレートすることによって）バックホール上でパケットをルーティングすることを可能にするために、Ｌ１レイヤと、ＰＤＣＰ／ＲＬＣ／ＭＡＣレイヤと、一例では圧縮レイヤとすることができるＣ−ＧＴＰ−Ｕ／ＵＤＰ／ＩＰレイヤとを有するＲｅＮＢバックホールリンクプロトコルスタック９０６が、示されている。また、Ｌ１レイヤと、ＰＤＣＰ／ＲＬＣ／ＭＡＣレイヤと、Ｃ−ＧＴＰ／ＵＤＰ／ＩＰレイヤとを有するＣｅＮＢアクセスリンクプロトコルスタック９０８、ならびに、ＰＧＷ／ＳＧＷによって割り当てられるアドレスを使用してＰＧＷ／ＳＧＷと通信を維持するために、Ｌ１レイヤと、Ｌ２レイヤと、ＩＰレイヤと、ＵＤＰレイヤと、ＧＴＰ−Ｕレイヤとを有するＣｅＮＢバックホールリンクプロトコルスタック９１０が、示されている。ＰＧＷ／ＳＧＷプロトコルスタック９１２は、Ｌ１レイヤと、Ｌ２レイヤと、ＣｅＮＢに割り当てられるアドレスに関係するＩＰレイヤと、ＵＤＰレイヤと、ＧＴＰ−Ｕレイヤと、ＵＥに割り当てられるアドレスに関係する別のＩＰレイヤとを有する。
【００７２】
一例によれば、ＵＥは、ＰＧＷ／ＳＧＷへのアクセスを受信するためにＲｅＮＢと通信することができる。この点について、ＵＥは、プロトコルスタック９０２とプロトコルスタック９０４との間に示すように、ＥＵＴＲＡ−Ｕｕインターフェースを使用して、Ｌ１レイヤと、ＭＡＣレイヤと、ＲＬＣレイヤと、ＰＤＣＰレイヤとを介してＲｅＮＢと通信することができる。ＵＥは、プロトコルスタック９０２とプロトコルスタック９１２との間に示すように、ＩＰアドレスをＵＥに割り当てるＰＧＷ／ＳＧＷにＲｅＮＢおよび他のエンティティを通してＩＰレイヤ通信をトンネリングすることができる。そのようなトンネリングを可能にするために、ＲｅＮＢは、プロトコルスタック９０６とプロトコルスタック９０８との間に示すように、Ｓ１−Ｕ−Ｒインターフェースを使用してＬ１レイヤと、ＰＤＣＰ／ＲＬＣ／ＭＡＣレイヤと、Ｃ−ＧＴＰ−Ｕ／ＵＤＰ／ＩＰレイヤとを介してＣｅＮＢと通信することができる。説明したように、Ｓ１−Ｕ−Ｒインターフェースは、ＣｅＮＢとＰＧＷ／ＳＧＷとの間の通信よりも新たに定義された、異種トランスポートレイヤを利用するインターフェースとすることができる。この点について、ＲｅＮＢとＣｅＮＢとの間の通信は、さらに、ＧＴＰ−Ｕ、ＵＤＰ／ＩＰヘッダの圧縮バージョンを使用する。さらに、この圧縮ヘッダは、本明細書で説明するように、戻り通信を可能にするために、ＧＴＰ−ＵヘッダのＴＥＩＤ中でｒＮＢのアドレスを示すことができる。ＣｅＮＢは、プロトコルスタック９１０とプロトコルスタック９１２との間に示すように、トランスポートレイヤからＣ−ＧＴＰ−Ｕ／ＵＤＰ／ＩＰヘッダを分離し、Ｓ１−Ｕインターフェースを介し、Ｌ１およびＬ２物理レイヤの上の別個のＧＴＰ−Ｕレイヤと、ＵＤＰレイヤと、ＩＰレイヤとを介してＰＧＷと通信することができる。説明したように、同じことがダウンリンク通信に当てはまり、ＣｅＮＢが、トランスポートレイヤからＧＴＰレイヤと、ＵＤＰレイヤと、ＩＰレイヤとを分離し、それらをＣ−ＧＴＰ−Ｕ／ＵＤＰ／ＩＰヘッダに圧縮し、ＰＤＣＰ／ＲＬＣ／ＭＡＣレイヤとＬ１レイヤを介してＲｅＮＢに送信する。ＣｅＮＢは、説明したように、パケットをＲｅＮＢにルーティングするためにＧＴＰ−Ｕヘッダ中のＴＥＩＤを使用することができる。一例では、これは、バックホールなどの上でＵＤＰ／ＩＰルーティングする必要性を緩和する。
【００７３】
次に図１０を参照すると、制御プレーン通信のためのセルリレー機能を提供するためにワイヤレスネットワーク中で通信することを可能にする例示的なプロトコルスタック１０００が示されている。Ｌ１レイヤと、ＰＤＣＰ／ＲＬＣ／ＭＡＣレイヤと、圧縮ＳＣＴＰ（Ｃ−ＳＣＴＰ）／ＩＰレイヤと、Ｓ１−ＡＰレイヤを備えるＲｅＮＢプロトコルスタック１００２が示されている。また、Ｌ１レイヤと、ＰＤＣＰ／ＲＬＣ／ＭＡＣレイヤと、Ｃ−ＳＣＴＰ／ＩＰレイヤと、Ｓ１−ＡＰレイヤとを有するＣｅＮＢアクセスリンクプロトコルスタック１００４、ならびに、Ｌ１レイヤと、Ｌ２レイヤと、ＩＰレイヤと、ＳＣＴＰレイヤと、Ｓ１−ＡＰレイヤとを有するＣｅＮＢバックホールリンクプロトコルスタック１００６が、示されている。ＭＭＥプロトコルスタック１００８は、Ｌ１レイヤと、Ｌ２レイヤと、ＩＰレイヤと、ＳＣＴＰレイヤと、Ｓ１−ＡＰレイヤとを有する。
【００７４】
一例によれば、ＲｅＮＢは、制御プレーン通信を可能にするために、プロトコルスタック１００２とプロトコルスタック１００４との間に示すように、Ｓ１−ＭＭＥ−Ｒインターフェースを使用してＬ１レイヤと、ＰＤＣＰ／ＲＬＣ／ＭＡＣレイヤと、Ｃ−ＳＣＴＰ／ＩＰレイヤと、Ｓ１−ＡＰレイヤとを介してＣｅＮＢと通信することができる。説明したように、Ｓ１−ＭＭＥ−Ｒインターフェースは、ＣｅＮＢとＰＧＷ／ＳＧＷとの間の通信よりも新たに定義された、異種トランスポートレイヤを利用するインターフェースとすることができる。この点について、ＲｅＮＢとＣｅＮＢとの間の通信は、さらに、ＳＣＴＰおよびＩＰヘッダの圧縮バージョンを使用する。さらに、この圧縮ヘッダは、本明細書で説明するように、戻り通信を可能にするためにＳ１−ＡＰヘッダ中のＲｅＮＢのｅＮＢ識別子を示すことができる。ＣｅＮＢは、プロトコルスタック１００６とプロトコルスタック１００８との間に示すように、トランスポートレイヤからＣ−ＳＣＴＰ／ＩＰヘッダを分離し、Ｓ１−ＭＭＥインターフェースを介してＬ１およびＬ２物理レイヤ（ならびにＳ１−ＡＰレイヤ）の上の別個のＳＣＴＰレイヤとＩＰレイヤとを介してＭＭＥと通信することができる。説明したように、同じことがダウンリンク通信に当てはまり、ＣｅＮＢが、トランスポートレイヤからＳＣＴＰレイヤとＩＰレイヤとを分離し、それらをＣ−ＳＣＴＰ／ＩＰヘッダに圧縮し、ＰＤＣＰ／ＲＬＣ／ＭＡＣレイヤとＬ１レイヤとを介してＲｅＮＢに送信する。ＣｅＮＢは、説明したように、パケットをＲｅＮＢにルーティングするためにＳ１−ＡＰヘッダ中のｅＮＢ識別子を使用することができる。一例では、これは、バックホール上でＵＤＰ／ＩＰルーティングする必要性を緩和し、さらに、ＭＭＥは、ＳＣＴＰ関連付けの代わりにｅＮＢ識別子に基づいてＳ１−ＡＰメッセージをデマルチプレクス（demultiplex）することができる。
【００７５】
図１１〜図１５を参照すると、ワイヤレスネットワークにおいてカバレージを拡大するために、および／またはスループットを増加するために、リレー機能を提供することに関係する方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、図示のすべての行為が必要とされるわけではない。
【００７６】
図１１を参照すると、リレーｅＮＢへのワイヤレスネットワークアクセスを提供するためにそれと通信することを可能にする例示的な方法１１００が示されている。１１０２において、ＬＴＥバックホールリンクを介してリレーｅＮＢと通信する。一例では、（説明したように、Ｅ−ＵＴＲＡ−Ｕｕなどの）エアインターフェース、ワイヤードインターフェースなどを使用してリレーｅＮＢと通信することができる。１１０４において、１つまたは複数のネットワーク構成要素から１つまたは複数のバックホールリンクプロトコルを介してリレーｅＮＢに関係する通信を受信する。たとえば、１つまたは複数のネットワーク構成要素は、他の上流構成要素からの通信をさらに受信できるＳＧＷ、ＭＭＥなどを含むことができる。１１０６において、１つまたは複数の異種プロトコルを使用してＬＴＥバックホールリンクを介してリレーｅＮＢに通信を送信する。この点について、説明したように、１つまたは複数のバックホールリンクプロトコルの少なくとも一部分を終了することができ、リレーｅＮＢに送信するための１つまたは複数の異種プロトコルに通信を変換することができる。
【００７７】
図１２を参照すると、上述のように、ＵＥリレー機能を提供することを可能にする例示的な方法１２００が示されている。１２０２において、ネットワーク構成要素からドナーｅＮＢを通してアドレスを受信する。説明したように、アドレスは、ＰＧＷから発信することができ、一例では、ＳＧＷによってドナーｅＮＢに提供することができる。アドレスは、説明したように、ＰＧＷとの通信トンネルを確立する際に使用することができる。この点について、１２０４において、アドレスに基づいてネットワーク構成要素からドナーｅＮＢを通して１つまたは複数のパケットを受信する。説明したように、一例では、制御プレーン通信の場合はＳ１−ＭＭＥインターフェースを介してなど、トンネリングプロトコル（たとえば、データプレーン通信の場合はＧＴＰ）に従ってパケットを受信することができる。１２０６において、１つまたは複数のパケットからＵＥまたは異種リレーｅＮＢにデータを送信する。
【００７８】
図１３を参照すると、ローカルブレークアウト構成においてＵＥリレーにアドレスを提供することを可能にする例示的な方法１３００が示されている。１３０２において、リレーｅＮＢから接続確立要求を受信する。１３０４において、ネットワークから受信したデータをリレーｅＮＢにルーティングすることを最適化するためにローカルＩＰアドレスをリレーｅＮＢに割り当てる。説明したように、ＩＰアドレスは、ローカルＰＧＷにおいて生成し、１つまたは複数のトンネリングプロトコルに従ってトンネリング通信をサポートするためにリレーｅＮＢに提供することができる。１３０６において、ローカルＩＰアドレスをリレーｅＮＢに送信する。
【００７９】
図１４を参照すると、セルリレーと通信することを可能にする例示的な方法１４００が示されている。１４０２において、ネットワーク構成要素からトランスポートレイヤを介してアプリケーションレイヤ中でリレーｅＮＢに関係する情報を受信する。説明したように、ネットワーク構成要素は、ＳＧＷ、ＰＧＷ、ＭＭＥなどの上流構成要素とすることができる。１４０４において、アプリケーションレイヤをトランスポートレイヤから分離する。たとえば、アプリケーションレイヤは、説明したように、トランスポートレイヤ通信から抽出できる。１４０６において、アプリケーションプロトコル中の情報を異種トランスポートレイヤを介してリレーｅＮＢに送信する。したがって、リレーｅＮＢは、説明したように、他のデバイスとのトランスポートレイヤ接続を管理するＵＥ、異種リレーｅＮＢなどのセルとして扱われる。
【００８０】
図１５を参照すると、セルリレー機能を提供することを可能にする例示的な方法１５００が示されている。１５０２において、圧縮トランスポートレイヤを使用してＬＴＥエアインターフェースを介してバックホールリンクプロトコルに従ってデータを受信する。説明したように、圧縮トランスポートレイヤは、いくつかのトランスポートプロトコルを単一のレイヤ、非トランスポートレイヤなどの中に含むことができる。１５０４において、圧縮トランスポートレイヤに基づいてバックホールリンクプロトコルを判断する。この点について、圧縮トランスポートレイヤは、レイヤをローカル通信に利用するデバイス間で定義することができ、所与のバックホールリンクプロトコルとの関連付けは、デバイス間で合意するか、または仕様、構成などに従って利用することもできる。１５０６において、バックホールリンクプロトコルに従ってデータを処理する。
【００８１】
本明細書で説明する１つまたは複数の態様によれば、トランスポートレイヤプロトコルを判断することおよび／または本明細書で説明する他の態様に関して推論を行うことができることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたは動作を識別するために使用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観測された事象および／または記憶された事象データのセットから新しい事象または動作が構成される。
【００８２】
次に図１６を参照すると、本明細書で提示する様々な実施形態によるワイヤレス通信システム１６００が示されている。システム１６００は、複数のアンテナグループを含むことができる基地局１６０２を備える。たとえば、１つのアンテナグループはアンテナ１６０４および１６０６を含み、別のグループはアンテナ１６０８および１６１０を備え、さらなるグループはアンテナ１６１２および１６１４を含むことができる。アンテナグループごとに２つのアンテナが示されているが、グループごとにより多いまたはより少ないアンテナを利用することができる。基地局１６０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００８３】
基地局１６０２は、モバイルデバイス１６１６およびモバイルデバイス１６２２など１つまたは複数のモバイルデバイスと通信することができるが、基地局１６０２は、モバイルデバイス１６１６および１６２２と同様の実質的にいかなる数のモバイルデバイスとも通信することができることを諒解されたい。モバイルデバイス１６１６および１６２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１６００を介して通信するための他の適切なデバイスとすることができる。図示のように、モバイルデバイス１６１６は、アンテナ１６１２および１６１４と通信しており、アンテナ１６１２および１６１４は、順方向リンク１６１８を介して情報をモバイルデバイス１６１６に送信し、逆方向リンク１６２０を介してモバイルデバイス１６１６から情報を受信する。さらに、モバイルデバイス１６２２は、アンテナ１６０４および１６０６と通信しており、アンテナ１６０４および１６０６は、順方向リンク１６２４を介して情報をモバイルデバイス１６２２に送信し、逆方向リンク１６２６を介してモバイルデバイス１６２２から情報を受信する。周波数分割複信（frequency division duplex: ＦＤＤ）システムでは、たとえば、順方向リンク１６１８は、逆方向リンク１６２０によって使用される周波数帯とは異なる周波数帯を利用し、順方向リンク１６２４は、逆方向リンク１６２６によって使用される周波数帯とは異なる周波数帯を使用することができる。さらに、時分割複信（time division duplex:ＴＤＤ）システムでは、順方向リンク１６１８および逆方向リンク１６２０は共通の周波数帯を利用し、順方向リンク１６２４および逆方向リンク１６２６は共通の周波数帯を利用することができる。
【００８４】
アンテナの各グループおよび／またはそれらが通信するように指定されたエリアを、基地局１６０２のセクタと呼ぶことができる。たとえば、基地局１６０２によってカバーされるエリアのセクタ中のモバイルデバイスに通信するようにアンテナグループを設計することができる。順方向リンク１６１８および１６２４を介した通信では、基地局１６０２の送信アンテナは、モバイルデバイス１６１６および１６２２についての順方向リンク１６１８および１６２４の信号対雑音比を向上させるためにビームフォーミングを利用することができる。さらに、基地局１６０２が、関連するカバレージ中に不規則に散在するモバイルデバイス１６１６および１６２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス１６１６および１６２２は、ピアツーピアまたはアドホック技術を使用して互いに直接通信することができる（図示せず）。
【００８５】
一例によれば、システム１６００は多入力多出力（ＭＩＭＯ）通信システムとすることができる。さらに、システム１６００は、ＦＤＤ、ＦＤＭ、ＴＤＤ、ＴＤＭ、ＣＤＭなど、通信チャネル（たとえば、順方向リンク、逆方向リンク、．．．）を分割する実質的にどんなタイプの複信技法（duplexing technique）でも利用することができる。さらに、チャネル上での複数のデバイスとの同時通信を可能にするために通信チャネルを直交させ、一例では、この点についてＯＦＤＭを利用することができる。したがって、チャネルは、ある時間期間にわたる周波数の部分に分割できる。さらに、フレームは、時間期間の集合にわたる周波数の部分として定義され、したがって、たとえば、フレームはいくつかのＯＦＤＭシンボルを備えることができる。基地局１６０２は、様々なタイプのデータに対して作成できるチャネルを介してモバイルデバイス１６１６および１６２２に通信することができる。たとえば、チャネルは、様々なタイプの一般的通信データ、制御データ（たとえば、他のチャネルの品質情報、チャネルを介して受信されたデータに対する肯定応答インジケータ、干渉情報、基準信号など）などを通信するために作成できる。
【００８６】
図１７に、例示的なワイヤレス通信システム１７００を示す。ワイヤレス通信システム１７００には、簡潔のために、１つの基地局１７１０と、１つのモバイルデバイス１７５０とを示してある。ただし、システム１７００は、２つ以上の基地局および／または２つ以上のモバイルデバイスを含むことができ、追加の基地局および／またはモバイルデバイスは、以下で説明する例示的な基地局１７１０およびモバイルデバイス１７５０と実質的に同様または異なるものとすることができることを諒解されたい。さらに、基地局１７１０および／またはモバイルデバイス１７５０は、その間のワイヤレス通信を可能にするために、本明細書で説明するシステム（図１〜図３、図６〜図８、および図１６）、プロトコルスタック（図４〜図５および図９〜図１０）および／または方法（図１１〜図１５）を採用することができることを諒解されたい。
【００８７】
基地局１７１０において、いくつかのデータストリームのトラフィックデータがデータソース１７１２から送信（ＴＸ）データプロセッサ１７１４に供給される。一例によれば、各データストリームは、それぞれのアンテナを介して送信できる。ＴＸデータプロセッサ１７１４は、トラフィックデータストリーム用に選択された特定の符号化方式に基づいて、そのデータストリームをフォーマッティングし、符号化し、インタリーブして、符号化データを与える。
【００８８】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される既知データパターンであり、チャネル応答を推定するためにモバイルデバイス１７５０において使用できる。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータレート、符号化、および変調は、プロセッサ１７３０によって実行または与えられる命令によって判断できる。
【００８９】
データストリームの変調シンボルはＴＸ  ＭＩＭＯプロセッサ１７２０に供給され、ＴＸ  ＭＩＭＯプロセッサ１７２０は、（たとえば、ＯＦＤＭ用に）変調シンボルをさらに処理することができる。次いで、ＴＸ  ＭＩＭＯプロセッサ１７２０はＮT個の変調シンボルストリームをＮT個の送信機（ＴＭＴＲ）１７２２ａ〜１７２２ｔに供給する。様々な態様では、ＴＸ  ＭＩＭＯプロセッサ１７２０は、データストリームのシンボルと、シンボルの送信元のアンテナとにビームフォーミング重みを適用する。
【００９０】
各送信機１７２２は、それぞれのシンボルストリームを受信および処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機１７２２ａ〜１７２２ｔからのＮT個の変調信号は、それぞれＮT個のアンテナ１７２４ａ〜１７２４ｔから送信される。
【００９１】
モバイルデバイス１７５０では、送信された変調信号はＮR個のアンテナ１７５２ａ〜１７５２ｒによって受信され、各アンテナ１７５２からの受信信号は、それぞれの受信機（ＲＣＶＲ）１７５４ａ〜１７５４ｒに供給される。各受信機１７５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００９２】
ＲＸデータプロセッサ１７６０は、特定の受信機処理技法に基づいてＮR個の受信機１７５４からＮR個の受信シンボルストリームを受信し、処理して、ＮT個の「検出」シンボルストリームを供給する。ＲＸデータプロセッサ１７６０は、各検出シンボルストリームを復調し、デインタリーブし、復号して、データストリームのトラフィックデータを復元することができる。ＲＸデータプロセッサ１７６０による処理は、基地局１７１０においてＴＸ  ＭＩＭＯプロセッサ１７２０およびＴＸデータプロセッサ１７１４によって実行される処理を補足するものである。
【００９３】
プロセッサ１７７０は、上述のように、どのプリコーディング行列を利用すべきかを周期的に判断することができる。さらに、プロセッサ１７７０は、行列インデックス部分とランク値部分とを備える逆方向リンクメッセージを作成することができる。
【００９４】
逆方向リンクメッセージは、通信リンクおよび／または受信データストリームに関する様々なタイプの情報を備えることができる。逆方向リンクメッセージは、データソース１７３６からいくつかのデータストリームのトラフィックデータをも受信するＴＸデータプロセッサ１７３８によって処理され、変調器１７８０によって変調され、送信機１７５４ａ〜１７５４ｒによって調整され、基地局１７１０に戻される。
【００９５】
基地局１７１０において、モバイルデバイス１７５０からの変調信号は、アンテナ１７２４によって受信され、受信機１７２２によって調整され、復調器１７４０によって復調され、ＲＸデータプロセッサ１７４２によって処理されて、モバイルデバイス１７５０によって送信された逆方向リンクメッセージが抽出される。さらに、プロセッサ１７３０は、抽出されたメッセージを処理して、ビームフォーミング重みを判断するためにどのプリコーディング行列を使用すべきかを判断することができる。
【００９６】
プロセッサ１７３０および１７７０は、それぞれ基地局１７１０およびモバイルデバイス１７５０における動作を指示（たとえば、制御、調整、管理など）することができる。それぞれのプロセッサ１７３０および１７７０は、プログラムコードおよびデータを記憶するメモリ１７３２および１７７２に関連付けできる。プロセッサ１７３０および１７７０はまた、それぞれ、アップリンクとダウンリンクとに関して周波数推定値およびインパルス応答推定値（frequency and impulse estimates）を導き出すために計算を実行することができる。
【００９７】
本明細書で説明する態様は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【００９８】
態様は、ソフトウェア、ファームウェア、ミドルウェアまたはマイクロコード、プログラムコードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容を、通過させ、および／または受信することによって、別のコードセグメントまたはハードウェア回路に結合できる。情報、引数、パラメータ、データなどは、メモリ共有、メッセージパッシング、トークンパッシング、ネットワーク送信などを含む適切な手段を使用して、通過、フォワーディング、または送信することができる。
【００９９】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【０１００】
図１８を参照すると、説明したように、ネットワークカバレージを拡大するために、および／またはスループットを増加するために、リレーにワイヤレスネットワークアクセスを提供することを可能にするシステム１８００が示されている。たとえば、システム１８００は、少なくとも部分的に基地局、モバイルデバイスなどの内部に常駐することができる。システム１８００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１８００は、連携して動作することができる電気構成要素の論理グルーピング１８０２を含む。たとえば、論理グルーピング１８０２は、１つまたは複数のネットワーク構成要素から１つまたは複数のバックホールリンクプロトコルを介したリレーｅＮＢに関係する通信を受信するための電気構成要素１８０４を含むことができる。さらに、論理グルーピング１８０２は、１つまたは複数の異種バックホールリンクプロトコルを使用してＬＴＥバックホールリンクを介してリレーｅＮＢに通信を送信するための電気構成要素１８０６を含むことができる。この点について、システム１８００は、コアネットワークと通信するために、システム１８００によって利用されるバックホールリンクプロトコルとは異なる１つまたは複数の定義されたバックホールリンクプロトコルを介してリレーｅＮＢと通信することができる。さらに、システム１８００は、電気構成要素１８０４および１８０６に関連する機能を実行するための命令を保持するメモリ１８０６を含むことができる。メモリ１８０８の外部にあるものとして示されているが、電気構成要素１８０４および１８０６のうちの１つ以上は、メモリ１８０８の内部に存在することができることを理解されたい。
【０１０１】
図１９を参照すると、１つまたは複数のＵＥまたはリレーｅＮＢへのワイヤレスネットワークアクセスを提供するＵＥリレーを実装することを可能にするシステム１９００が示されている。たとえば、システム１９００は、少なくとも部分的に基地局、モバイルデバイスなどの内部に常駐することができる。システム１９００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１９００は、連携して動作することができる電気構成要素の論理グルーピング１９０２を含む。たとえば、論理グルーピング１９０２は、ネットワーク構成要素からドナーｅＮＢを通してアドレスを受信するための電気構成要素１９０４を含むことができる。たとえば、説明したように、アドレスは、それに対する通信をトンネリングすることを可能にするためにＰＧＷによって生成できる。この点に関して、論理グルーピング１９０２は、アドレスに基づいてネットワーク構成要素において発生する１つまたは複数のパケットをドナーｅＮＢから受信するための電気構成要素１９０６を含むことができる。説明したように、たとえば、１つまたは複数のパケットは、ＧＴＰまたは同様のプロトコルなどのトンネリングプロトコルに従って、制御プレーン通信の場合はＳ１−ＭＭＥインターフェースに従ってなどトンネリングすることができる。ドナーｅＮＢは、トンネリングプロトコルヘッダまたはラッパ（wrapper）の１つまたは複数のパラメータに基づいてパケットの受信者を識別することができる。
【０１０２】
さらに、論理グルーピング１９０２は、１つまたは複数のパケットからＵＥまたは異種リレーｅＮＢにデータを送信するための電気構成要素１９０８を含むことができる。したがって、ネットワークアクセスは、説明したように、１つまたは複数のデバイスに提供される。さらに、論理グルーピング１９０２は、ネットワーク構成要素と通信トンネルを作成するための電気構成要素１９１０を含むことができる。説明したように、電気構成要素１９０６は、トンネリングプロトコルに従って通信トンネルを介してパケットを受信することができる。さらに、システム１９００は、電気構成要素１９０４、１９０６、１９０８、および１９１０に関連する機能を実行するための命令を保持するメモリ１９１２を含むことができる。メモリ１９１２の外部にあるものとして示されているが、電気構成要素１９０４、１９０６、１９０８、および１９１０のうちの１つまたは複数は、メモリ１９１２の内部に存在することができることを理解されたい。
【０１０３】
図２０を参照すると、ローカルブレークアウト構成においてＵＥリレーと通信することを可能にするシステム２００が示されている。たとえば、システム２０００は、少なくとも部分的に基地局、モバイルデバイスなどの内部に常駐することができる。システム２０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム２０００は、連携して動作することができる電気構成要素の論理グルーピング２００２を含む。たとえば、論理グルーピング２００２は、リレーｅＮＢから接続確立要求を受信するための電気構成要素２００４を含むことができる。さらに、論理グルーピング２００２は、ネットワークから受信したデータをリレーｅＮＢにルーティングすることを最適化するためにローカルＩＰアドレスをリレーｅＮＢに割り当てるための電気構成要素２００６を含むことができる。
【０１０４】
さらに、論理グルーピング２００２は、トンネリングプロトコルに従ってリレーｅＮＢとの通信トンネルを確立するための電気構成要素２００８を含むことができる。リレーｅＮＢは、説明したように、たとえば、システム２０００を介して共同設置ＰＧＷと直接通信するためにトンネルを利用することができる。さらに、システム２０００は、電気構成要素２００４、２００６、および２００８に関連する機能を実行するための命令を保持するメモリ２０１０を含むことができる。メモリ２０１０の外部にあるものとして示されているが、電気構成要素２００４、２００６、および２００８のうちの１つまたは複数は、メモリ２０１０の内部に存在することができることを理解されたい。
【０１０５】
図２１を参照すると、ワイヤレスネットワークにおいてセルリレーへのネットワークアクセスを提供するシステム２１００が示されている。たとえば、システム２１００は、少なくとも部分的に基地局、モバイルデバイスなどの内部に常駐することができる。システム２１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム２１００は、連携して動作することができる電気構成要素の論理グルーピング２１０２を含む。たとえば、論理グルーピング２１０２は、ネットワーク構成要素からリレーｅＮＢに関係する通信を受信するための電気構成要素２１０４を含むことができる。さらに、論理グルーピング２１０２は、通信のトランスポートレイヤからアプリケーションレイヤデータを分離するための電気構成要素２１０６を含むことができる。したがって、説明したように、トランスポートレイヤは、リレーｅＮＢがシステム２１００のセルと同様に機能するようにシステム２１００において終了することができる。
【０１０６】
さらに、論理グルーピング２１０２は、異種トランスポートレイヤを介してリレーｅＮＢにアプリケーションレイヤデータを送信するための電気構成要素２１０８を含むことができる。さらに、論理グルーピング２１０２は、異種トランスポートレイヤのためのパケットを生成するための電気構成要素２１１０を含むことができる。電気構成要素２１０８は、アプリケーションレイヤデータをパケットに挿入することができる。この点について、システム２１００は、リレーｅＮＢによる受信のためにネットワーク構成要素から受信するデータを変換する。電気構成要素２１０８は、説明したように、（Ｓ１−ＡＰメッセージ中のｅＮＢ識別子、ＧＴＰ−Ｕ／ＵＤＰ／ＩＰヘッダ中のＴＥＩＤなどの）受信した通信中のパラメータに従ってリレーｅＮＢを識別することに基づいてリレーｅＮＢにアプリケーションレイヤデータを送信することができることを諒解されたい。さらに、システム２１００は、電気構成要素２１０４、２１０６、２１０８、および２１１０に関連する機能を実行するための命令を保持するメモリ２１１２を含むことができる。メモリ２１１２の外部にあるものとして示されているが、電気構成要素２１０４、２１０６、２１０８、および２１１０のうちの１つまたは複数は、メモリ２１１２の内部に存在することができることを理解されたい。
【０１０７】
図２２を参照すると、ワイヤレスネットワークにおいてセルリレー機能を提供するシステム２２００が示されている。たとえば、システム２２００は、少なくとも部分的に基地局、モバイルデバイスなどの内部に常駐することができる。システム２２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム２２００は、連携して動作することができる電気構成要素の論理グルーピング２２０２を含む。たとえば、論理グルーピング２２０２は、圧縮トランスポートレイヤを使用してＬＴＥエアインターフェースを介してバックホールリンクプロトコルに従ってデータを受信するための電気構成要素２２０４を含むことができる。たとえば、説明したように、圧縮トランスポートレイヤは、単一のレイヤ、まったく新しいレイヤ、または非トランスポートレイヤに圧縮された、いくつかのトランスポートレイヤを含むことができる。
【０１０８】
バックホールリンクを介して通信するデバイスは、構成、仕様などに従って圧縮トランスポートレイヤを利用することができる。さらに、論理グルーピング２２０２は、圧縮トランスポートレイヤに少なくとも部分的に基づいてバックホールリンクプロトコルを判断するためと、バックホールリンクプロトコルに従ってデータを処理するためとの電気構成要素２２０６を含むことができる。説明したように、バックホールリンクを介して通信するデバイスは、圧縮トランスポートレイヤの検出が、バックホールリンクプロトコルを判断して、バックホールリンクを介して送信されるデータを復号する際に使用することを可能にできるように、バックホールリンクプロトコルを圧縮トランスポートレイヤに関連付けることができる。さらに、システム２２００は、電気構成要素２２０４および２２０６に関連する機能を実行するための命令を保持するメモリ２２０６を含むことができる。メモリ２２０８の外部にあるものとして示されているが、電気構成要素２２０４および２２０６のうちの１つまたは複数は、メモリ２２０８の内部に存在することができることを理解されたい。
【０１０９】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械（state machine）とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【０１１０】
さらに、本明細書で開示された態様に関して説明した方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐することができる。例示的な記憶媒体は、プロセッサが記憶媒体から情報を読むことができ、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末内に個別構成要素として常駐することもできる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１１１】
１つまたは複数の態様では、説明する機能は、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体上で送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用できコンピュータによってアクセスできる任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１１２】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
【図１】
2014147089.tif 000003
【図２】
2014147089.tif 000004
【図３】
2014147089.tif 000005
【図４】
2014147089.tif 000006
【図５】
2014147089.tif 000007
【図６】
2014147089.tif 000008
【図７】
2014147089.tif 000009
【図８】
2014147089.tif 000010
【図９】
2014147089.tif 000011
【図１０】
2014147089.tif 000012
【図１１】
2014147089.tif 000013
【図１２】
2014147089.tif 000014
【図１３】
2014147089.tif 000015
【図１４】
2014147089.tif 000016
【図１５】
2014147089.tif 000017
【図１６】
2014147089.tif 000018
【図１７】
2014147089.tif 000019
【図１８】
2014147089.tif 000020
【図１９】
2014147089.tif 000021
【図２０】
2014147089.tif 000022
【図２１】
2014147089.tif 000023
【図２２】
2014147089.tif 000024
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
ネットワーク構成要素からトランスポートレイヤを介して１つまたは複数のアプリケーションプロトコル中でリレーｅＮＢに関係する情報を受信することと、
前記トランスポートレイヤから前記１つまたは複数のアプリケーションプロトコルを分離することと、
前記１つまたは複数のアプリケーションプロトコル中の前記情報を異種トランスポートレイヤを介して前記リレーｅＮＢに送信することとを備える方法。
【請求項２】
前記情報を前記送信することが、ＬＴＥバックホールリンクを介して前記リレーｅＮＢに前記情報を送信することを含む、請求項１に記載の方法。
【請求項３】
前記情報を前記受信することが、コアネットワークから前記情報を受信することを含む、請求項１に記載の方法。
【請求項４】
前記情報を前記受信することが、アクセスネットワークから前記情報を受信することを含む、請求項１に記載の方法。
【請求項５】
前記情報を前記受信することが、Ｓ１−Ｕ、Ｓ１−ＭＭＥ、またはＸ２インターフェースを介して前記情報を受信することを含む、請求項１に記載の方法。
【請求項６】
ネットワーク構成要素からトランスポートレイヤを介してアプリケーションプロトコル中でリレーｅＮＢに関係するデータを受信することと、
前記トランスポートレイヤから前記アプリケーションプロトコルを分離することと、
前記アプリケーションプロトコル中の前記データを異種トランスポートレイヤを介して前記リレーｅＮＢに送信すること
を行うように構成された少なくとも１つのプロセッサと、
前記少なくとも１つのプロセッサに結合されたメモリとを備えるワイヤレス通信装置。
【請求項７】
前記少なくとも１つのプロセッサが、ＬＴＥバックホールリンクを介して前記リレーｅＮＢに前記データを送信する、請求項６に記載のワイヤレス通信装置。
【請求項８】
前記ネットワーク構成要素がコアネットワーク中にある、請求項６に記載のワイヤレス通信装置。
【請求項９】
前記ネットワーク構成要素がアクセスネットワーク中にある、請求項６に記載のワイヤレス通信装置。
【請求項１０】
前記少なくとも１つのプロセッサが、Ｓ１−Ｕ、Ｓ１−ＭＭＥ、またはＸ２インターフェースを介して前記データを受信する、請求項６に記載のワイヤレス通信装置。
【請求項１１】
ネットワーク構成要素からリレーｅＮＢに関係する通信を受信するための手段と、
前記通信のトランスポートレイヤからアプリケーションレイヤデータを分離するための手段と、
異種トランスポートレイヤを介して前記リレーｅＮＢに前記アプリケーションレイヤデータを送信するための手段とを備える装置。
【請求項１２】
前記異種トランスポートレイヤのためのパケットを生成するための手段をさらに備え、送信するための前記手段が、前記パケット中で前記アプリケーションレイヤデータを送信する、請求項１１に記載の装置。
【請求項１３】
送信するための前記手段が、前記リレーｅＮＢとのＬＴＥバックホールリンクを介して前記アプリケーションレイヤデータを送信する、請求項１１に記載の装置。
【請求項１４】
前記ネットワーク構成要素がコアまたはアクセスネットワーク構成要素である、請求項１１に記載の装置。
【請求項１５】
受信するための前記手段が、Ｓ１−Ｕ、Ｓ１−ＭＭＥ、またはＸ２インターフェースを介して前記通信を受信する、請求項１１に記載の装置。
【請求項１６】
少なくとも１つのコンピュータに、ネットワーク構成要素からトランスポートレイヤを介して１つまたは複数のアプリケーションプロトコル中でリレーｅＮＢに関係する情報を受信させるためのコードと、
前記少なくとも１つのコンピュータに、前記トランスポートレイヤから前記１つまたは複数のアプリケーションプロトコルを分離させるためのコードと、
前記少なくとも１つのコンピュータに、前記１つまたは複数のアプリケーションプロトコル中の前記情報を異種トランスポートレイヤを介して前記リレーｅＮＢに送信させるためのコードとを備えるコンピュータ可読記憶媒体。
【請求項１７】
前記少なくとも１つのコンピュータに前記情報を送信させるための前記コードが、ＬＴＥバックホールリンクを介して前記リレーｅＮＢに前記情報を送信する、請求項１６に記載のコンピュータ可読記憶媒体。
【請求項１８】
前記少なくとも１つのコンピュータに前記情報を受信させるための前記コードが、コアネットワークから前記情報を受信する、請求項１６に記載のコンピュータ可読記憶媒体。
【請求項１９】
前記少なくとも１つのコンピュータに前記情報を受信させるための前記コードが、アクセスネットワークから前記情報を受信する、請求項１６に記載のコンピュータ可読記憶媒体。
【請求項２０】
前記少なくとも１つのコンピュータに前記情報を受信させるための前記コードが、Ｓ１−Ｕ、Ｓ１−ＭＭＥ、またはＸ２インターフェースを介して前記情報を受信する、請求項１６に記載のコンピュータ可読記憶媒体。
【請求項２１】
ネットワーク構成要素からリレーｅＮＢに関係する通信を受信するバックホールリンク構成要素と、
前記通信のトランスポートレイヤからアプリケーションレイヤデータを分離するトランスポート変換構成要素と、
異種トランスポートレイヤを介して前記リレーｅＮＢに前記アプリケーションレイヤデータを送信するアクセスリンク構成要素とを備える装置。
【請求項２２】
前記異種トランスポートレイヤのためのパケットを生成する構成要素を定義するトランスポートプロトコルをさらに備え、前記トランスポート変換構成要素が、前記アプリケーションレイヤデータを前記パケット中に挿入し、前記アクセスリンク構成要素が、前記パケット中の前記アプリケーションレイヤデータを前記リレーｅＮＢに送信する、請求項２１に記載の装置。
【請求項２３】
前記アクセスリンク構成要素が、前記リレーｅＮＢとのＬＴＥバックホールリンクを介して前記アプリケーションレイヤデータを送信する、請求項２１に記載の装置。
【請求項２４】
前記ネットワーク構成要素がコアまたはアクセスネットワーク構成要素である、請求項２１に記載の装置。
【請求項２５】
前記バックホールリンク構成要素が、Ｓ１−Ｕ、Ｓ１−ＭＭＥ、またはＸ２インターフェースを介して前記通信を受信する、請求項２１に記載の装置。
【手続補正２】
【補正対象書類名】明細書
【補正対象項目名】０１１２
【補正方法】変更
【補正の内容】
【０１１２】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に、出願当初の特許請求の範囲に記載された発明を付記する。
［１］  ＬＴＥバックホールリンクを介してリレーｅＮＢと通信することと、
１つまたは複数のネットワーク構成要素から１つまたは複数のバックホールリンクプロトコルを介して前記リレーｅＮＢに関係する通信を受信することと、
１つまたは複数の異種プロトコルを使用して前記ＬＴＥバックホールリンクを介して前記リレーｅＮＢに前記通信を送信することとを備える方法。
［２］  前記リレーｅＮＢに関係する通信を前記受信することが、コアネットワークから前記通信を受信することを含む、［１］に記載の方法。
［３］  前記リレーｅＮＢに関係する通信を前記受信することが、アクセスネットワークから前記通信を受信することを含む、［１］に記載の方法。
［４］  前記１つまたは複数のバックホールリンクプロトコルのうちの少なくとも１つがＳ１−Ｕ、Ｓ１−ＭＭＥ、またはＸ２インターフェースに関係する、［１］に記載の方法。
［５］  前記リレーｅＮＢから前記ＬＴＥバックホールリンクを介してアップリンク通信を受信することと、
前記１つまたは複数のバックホールリンクプロトコルを介して前記１つまたは複数のネットワーク構成要素に前記アップリンク通信を送信することとをさらに備える、［１］に記載の方法。
［６］    リレーｅＮＢと通信するためのＬＴＥバックホールリンクを提供することと、
バックホールリンクプロトコルを介して１つまたは複数のネットワーク構成要素から前記リレーｅＮＢのための通信を得ることと、
異種バックホールリンクプロトコルを使用して前記ＬＴＥバックホールリンクを介して前記リレーｅＮＢに前記通信を送信すること
を行うように構成された少なくとも１つのプロセッサと、
前記少なくとも１つのプロセッサに結合されたメモリとを備えるワイヤレス通信装置。
［７］  前記少なくとも１つのプロセッサがコアネットワークから前記通信を得る、［６］に記載のワイヤレス通信装置。
［８］  前記少なくとも１つのプロセッサがアクセスネットワークから前記通信を得る、［６］に記載のワイヤレス通信装置。
［９］  前記バックホールリンクプロトコルがＳ１−Ｕ、Ｓ１−ＭＭＥ、またはＸ２インターフェースに関係する、［６］に記載のワイヤレス通信装置。
［１０］  前記少なくとも１つのプロセッサが、
前記リレーｅＮＢから前記ＬＴＥバックホールリンクを介してアップリンク通信を得ることと、
前記バックホールリンクプロトコルを使用して前記１つまたは複数のネットワーク構成要素に前記アップリンク通信を送信することとを行うようにさらに構成された、［６］に記載のワイヤレス通信装置。
［１１］  １つまたは複数のネットワーク構成要素から１つまたは複数のバックホールリンクプロトコルを介してリレーｅＮＢに関係する通信を受信するための手段と、
１つまたは複数の異種バックホールリンクプロトコルを使用してＬＴＥバックホールリンクを介して前記リレーｅＮＢに前記通信を送信するための手段とを備える装置。
［１２］  受信するための前記手段がコアネットワークから前記通信を受信する、［１１］に記載の装置。
［１３］  受信するための前記手段がアクセスネットワークから前記通信を受信する、［１１］に記載の装置。
［１４］  前記１つまたは複数のバックホールリンクプロトコルがＳ１−Ｕ、Ｓ１−ＭＭＥ、またはＸ２インターフェースに関係する、［１１］に記載の装置。
［１５］  前記リレーｅＮＢに通信を送信するための前記手段が、前記リレーｅＮＢから前記ＬＴＥバックホールリンクを介してアップリンク通信を受信し、前記ｅＮＢに関係する通信を受信するための前記手段が、前記１つまたは複数のバックホールリンクプロトコルを介して前記１つまたは複数のネットワーク構成要素に前記アップリンク通信を送信する、［１１］に記載の装置。
［１６］  少なくとも１つのコンピュータに、ＬＴＥバックホールリンクを介してリレーｅＮＢと通信させるためのコードと、
前記少なくとも１つのコンピュータに、１つまたは複数のネットワーク構成要素から１つまたは複数のバックホールリンクプロトコルを介して前記リレーｅＮＢに関係する通信を受信させるためのコードと、
前記少なくとも１つのコンピュータに、１つまたは複数の異種プロトコルを使用して前記ＬＴＥバックホールリンクを介して前記リレーｅＮＢに前記通信を送信させるためのコードとを備えるコンピュータ可読媒体を備えるコンピュータプログラム製品。
［１７］  前記少なくとも１つのコンピュータに通信を受信させるための前記コードがコアネットワークから前記通信を受信する、［１６］に記載のコンピュータプログラム製品。
［１８］  前記少なくとも１つのコンピュータに通信を受信させるための前記コードがアクセスネットワークから前記通信を受信する、［１６］に記載のコンピュータプログラム製品。
［１９］  前記１つまたは複数のバックホールリンクプロトコルのうちの少なくとも１つがＳ１−Ｕ、Ｓ１−ＭＭＥ、またはＸ２インターフェースに関係する、［１６］に記載のコンピュータプログラム製品。
［２０］  前記コンピュータ可読媒体が、
前記少なくとも１つのコンピュータに、前記リレーｅＮＢから前記ＬＴＥバックホールリンクを介してアップリンク通信を受信させるためのコードと、
前記少なくとも１つのコンピュータに、前記１つまたは複数のバックホールリンクプロトコルを介して前記１つまたは複数のネットワーク構成要素に前記アップリンク通信を送信させるためのコードとをさらに備える、［１６］に記載のコンピュータプログラム製品。
［２１］  １つまたは複数のネットワーク構成要素から１つまたは複数のバックホールリンクプロトコルを介してリレーｅＮＢに関係する通信を受信するバックホールリンク構成要素と、
１つまたは複数の異種バックホールリンクプロトコルを使用してＬＴＥバックホールリンクを介して前記リレーｅＮＢに前記通信を送信するアクセスリンク構成要素とを備える装置。
［２２］  前記バックホールリンク構成要素がコアネットワークから前記通信を受信する、［２１］に記載の装置。
［２３］  前記バックホールリンク構成要素がアクセスネットワークから前記通信を受信する、［２１］に記載の装置。
［２４］  前記１つまたは複数のバックホールリンクプロトコルがＳ１−Ｕ、Ｓ１−ＭＭＥ、またはＸ２インターフェースに関係する、［２１］に記載の装置。
［２５］  前記アクセスリンク構成要素が、前記リレーｅＮＢから前記ＬＴＥバックホールリンクを介してアップリンク通信を受信し、前記バックホールリンク構成要素が、前記１つまたは複数のバックホールリンクプロトコルを介して前記１つまたは複数のネットワーク構成要素に前記アップリンク通信を送信する、［２１］に記載の装置。
［２６］  ネットワーク構成要素からドナーｅＮＢを通してインターネットプロトコル（ＩＰ）アドレスを受信することと、
前記ＩＰアドレスに基づいて前記ネットワーク構成要素から前記ドナーｅＮＢを通して１つまたは複数のパケットを受信することと、
前記１つまたは複数のパケットからＵＥまたは異種リレーｅＮＢに情報を送信することとを備える方法。
［２７］  ＬＴＥバックホールリンクを介して前記ドナーｅＮＢと通信することをさらに備える、［２６］に記載の方法。
［２８］  前記１つまたは複数のパケットを前記受信することが、汎用パケット無線サービス（ＧＰＲＳ）トンネリングプロトコル（ＧＴＰ）に従って前記１つまたは複数のパケットを受信することを含む、［２６］に記載の方法。
［２９］  ＧＴＰに従って前記１つまたは複数のパケットを前記受信することが、前記１つまたは複数のパケットのトンネルエンドポイント識別子（ＴＥＩＤ）中に指定された前記ＩＰアドレスをもつ前記ＧＴＰに従って前記１つまたは複数のパケットを受信することを含む、［２８］に記載の方法。
［３０］  前記ＵＥまたは前記異種リレーｅＮＢからアップリンク通信を受信することと、
前記ＩＰアドレスに基づいて前記ＧＴＰを使用して前記ドナーｅＮＢを通して前記ネットワーク構成要素に前記アップリンク通信を中継するために１つまたは複数の異種パケットを送信することとをさらに備える、［２８］に記載の方法。
［３１］  前記１つまたは複数のパケットを前記受信することが、Ｓ１−ＭＭＥインターフェースを介して前記１つまたは複数のパケットを受信することを含む、［２６］に記載の方法。
［３２］    サービングゲートウェイからドナーｅＮＢを介してインターネットプロトコル（ＩＰ）アドレスを得ることと、
前記ＩＰアドレスに少なくとも部分的に基づいて１つまたは複数のパケットを受信するために前記ドナーｅＮＢを通して前記サービングゲートウェイと通信することと、
前記１つまたは複数のパケットからＵＥまたは異種リレーｅＮＢにコンテントを送信すること
を行うように構成された少なくとも１つのプロセッサと、
前記少なくとも１つのプロセッサに結合されたメモリとを備えるワイヤレス通信装置。
［３３］  前記少なくとも１つのプロセッサが、ＬＴＥバックホールリンクを介して前記ドナーｅＮＢに接続するようにさらに構成された、［３２］に記載のワイヤレス通信装置。
［３４］  前記少なくとも１つのプロセッサが、汎用パケット無線サービス（ＧＰＲＳ）トンネリングプロトコル（ＧＴＰ）を介して前記サービングゲートウェイと通信し、前記１つまたは複数のパケットが、１つまたは複数のＧＴＰヘッダを含む、［３２］に記載のワイヤレス通信装置。
［３５］  前記１つまたは複数のＧＴＰヘッダが、前記ＩＰアドレスに対応するトンネルエンドポイント識別子（ＴＥＩＤ）を備える、［３４］に記載のワイヤレス通信装置。
［３６］  前記少なくとも１つのプロセッサが、
前記ＵＥまたは前記異種リレーｅＮＢからアップリンク通信を得ることと、
前記ＩＰアドレスに少なくとも部分的に基づいてＧＴＰを使用して前記ドナーｅＮＢに前記アップリンク通信の少なくとも一部分を送信することとを行うようにさらに構成された、［３４］に記載のワイヤレス通信装置。
［３７］  前記少なくとも１つのプロセッサが、Ｓ１−ＭＭＥインターフェースを介して前記１つまたは複数のパケットを受信する、［３２］に記載のワイヤレス通信装置。
［３８］  ネットワーク構成要素からドナーｅＮＢを通してインターネットプロトコル（ＩＰ）アドレスを受信するための手段と、
前記ＩＰアドレスに基づいて前記ネットワーク構成要素において発生する１つまたは複数のパケットを前記ドナーｅＮＢから受信するための手段と、
前記１つまたは複数のパケットからＵＥまたは異種リレーｅＮＢに情報を送信するための手段とを備える装置。
［３９］  受信するための前記手段が前記１つまたは複数のパケットを受信する、前記ネットワーク構成要素との通信トンネルを作成するための手段をさらに備える、［３８］に記載の装置。
［４０］  前記１つまたは複数のパケットを受信するための前記手段が、前記ＵＥまたは前記異種リレーｅＮＢから受信した１つまたは複数の異種パケットを前記通信トンネルを介して前記ネットワーク構成要素に送信する、［３９］に記載の装置。
［４１］  受信するための前記手段が、汎用パケット無線サービス（ＧＰＲＳ）トンネリングプロトコル（ＧＴＰ）に従って前記１つまたは複数のパケットを受信し、前記１つまたは複数のパケットが、少なくとも１つのＧＴＰヘッダを含む、［３９］に記載の装置。
［４２］  前記少なくとも１つのＧＴＰヘッダが、前記ＩＰアドレスを指定するトンネルエンドポイント識別子（ＴＥＩＤ）を含む、［４１］に記載の装置。
［４３］  前記少なくとも１つのＧＴＰヘッダが、前記ＵＥまたは前記異種リレーｅＮＢの異種アドレスを指定するトンネルエンドポイント識別子（ＴＥＩＤ）を含み、送信するための前記手段が、前記異種アドレスに少なくとも部分的に基づいて前記ＵＥまたは前記異種リレーｅＮＢに前記データを送信する、［４１］に記載の装置。
［４４］  前記１つまたは複数のパケットを受信するための前記手段が、前記ドナーｅＮＢからＬＴＥバックホールリンクを介して前記１つまたは複数のパケットを受信する、［３８］に記載の装置。
［４５］  前記１つまたは複数のパケットを受信するための前記手段が、Ｓ１−ＭＭＥインターフェースを介して前記１つまたは複数のパケットを受信する、［３８］に記載の装置。
［４６］  少なくとも１つのコンピュータに、ネットワーク構成要素からドナーｅＮＢを通してインターネットプロトコル（ＩＰ）アドレスを受信させるためのコードと、
前記少なくとも１つのコンピュータに、前記ＩＰアドレスに基づいて前記ネットワーク構成要素から前記ドナーｅＮＢを通して１つまたは複数のパケットを受信させるためのコードと、
前記少なくとも１つのコンピュータに、前記１つまたは複数のパケットからＵＥまたは異種リレーｅＮＢに情報を送信させるためのコードとを備えるコンピュータ可読媒体を備えるコンピュータプログラム製品。
［４７］  前記コンピュータ可読媒体が、前記少なくとも１つのコンピュータに、ＬＴＥバックホールリンクを介して前記ドナーｅＮＢと通信させるためのコードをさらに備える、［４６］に記載のコンピュータプログラム製品。
［４８］  前記少なくとも１つのコンピュータに前記１つまたは複数のパケットを受信させるための前記コードが、汎用パケット無線サービス（ＧＰＲＳ）トンネリングプロトコル（ＧＴＰ）に従って前記１つまたは複数のパケットを受信する、［４６］に記載のコンピュータプログラム製品。
［４９］  前記少なくとも１つのコンピュータに前記１つまたは複数のパケットを受信させるための前記コードが、前記１つまたは複数のパケットのトンネルエンドポイント識別子（ＴＥＩＤ）中に指定された前記ＩＰアドレスをもつ前記ＧＴＰに従って前記１つまたは複数のパケットを受信することを含む、［４８］に記載のコンピュータプログラム製品。
［５０］  前記コンピュータ可読媒体が、前記少なくとも１つのコンピュータに、
前記ＵＥまたは前記異種リレーｅＮＢからアップリンク通信を受信することと、
前記ＩＰアドレスとともに前記アップリンク通信を前記ネットワーク構成要素に送信することとを行わせるためのコードをさらに備える、［４８］に記載のコンピュータプログラム製品。
［５１］  前記少なくとも１つのコンピュータに前記１つまたは複数のパケットを受信させるための前記コードが、Ｓ１−ＭＭＥインターフェースを介して前記１つまたは複数のパケットを受信する、［４６］に記載のコンピュータプログラム製品。
［５２］  前記コンピュータ可読媒体が、前記少なくとも１つのコンピュータに、前記ＩＰアドレスに基づいてトンネリングプロトコルを使用して前記ドナーｅＮＢを通して前記ネットワーク構成要素に１つまたは複数の異種パケットを送信させるためのコードをさらに備える、［４６］に記載のコンピュータプログラム製品。
［５３］  ネットワーク構成要素からドナーｅＮＢを通してインターネットプロトコル（ＩＰ）アドレスを得るアドレス受信構成要素と、
前記ＩＰアドレスに基づいて前記ネットワーク構成要素において発生する１つまたは複数のパケットを前記ドナーｅＮＢから受信するバックホールリンク構成要素と、
前記１つまたは複数のパケットからＵＥまたは異種リレーｅＮＢに情報を送信するアクセスリンク構成要素とを備える装置。
［５４］  前記ネットワーク構成要素との通信トンネルを、前記バックホール構成要素が前記１つまたは複数のパケットを受信する前記ＩＰアドレスに基づいて作成するトンネリング構成要素をさらに備える、［５３］に記載の装置。
［５５］  前記バックホールリンク構成要素が、前記ＵＥまたは前記異種リレーｅＮＢから受信した１つまたは複数の異種パケットを前記通信トンネルを介して前記ネットワーク構成要素に送信する、［５４］に記載の装置。
［５６］  前記バックホールリンク構成要素が、汎用パケット無線サービス（ＧＰＲＳ）トンネリングプロトコル（ＧＴＰ）を介して前記１つまたは複数のパケットを受信し、前記１つまたは複数のパケットが、少なくとも１つのＧＴＰヘッダを含む、［５４］に記載の装置。
［５７］  前記少なくとも１つのＧＴＰヘッダが、前記ＩＰアドレスを指定するトンネルエンドポイント識別子（ＴＥＩＤ）を含む、［５６］に記載の装置。
［５８］  前記少なくとも１つのＧＴＰヘッダが、前記ＵＥまたは前記異種リレーｅＮＢの異種アドレスを指定するトンネルエンドポイント識別子（ＴＥＩＤ）を含み、送信するための前記手段が、前記異種アドレスに少なくとも部分的に基づいて前記ＵＥまたは前記異種リレーｅＮＢに前記データを送信する、［５６］に記載の装置。
［５９］  前記バックホールリンク構成要素が、前記ドナーｅＮＢからＬＴＥバックホールリンクを介して前記１つまたは複数のパケットを受信する、［５３］に記載の装置。
［６０］  接続確立要求をリレーｅＮＢから受信することと、
ネットワークから受信したデータを前記リレーｅＮＢにルーティングすることを最適化するためにローカルインターネットプロトコル（ＩＰ）アドレスを前記リレーｅＮＢに割り当てることと、
前記ローカルＩＰアドレスを前記リレーｅＮＢに送信することとを備える方法。
［６１］  前記接続確立要求を前記受信することが、前記リレーｅＮＢからＬＴＥバックホールリンクを介して前記接続確立要求を受信することを含む、［６０］に記載の方法。
［６２］  トンネリングプロトコルに従って前記リレーｅＮＢとの通信トンネルを確立することをさらに備える、［６０］に記載の方法。
［６３］  前記トンネリングプロトコルが、汎用パケット無線サービス（ＧＰＲＳ）トンネリングプロトコル（ＧＴＰ）である、［６２］に記載の方法。
［６４］  前記リレーｅＮＢから前記通信トンネルを介して１つまたは複数のパケットを受信することをさらに備え、前記１つまたは複数のパケットが、前記ローカルＩＰアドレスに対応するトンネルエンドポイント識別子（ＴＥＩＤ）をもつＧＴＰヘッダを備える、［６３］に記載の方法。
［６５］    リレーｅＮＢから接続確立要求を得ることと、
ネットワークから受信したデータを前記リレーｅＮＢにルーティングすることを最適化するためにローカルインターネットプロトコル（ＩＰ）アドレスを前記リレーｅＮＢに割り振ることと、
前記ローカルＩＰアドレスを前記リレーｅＮＢに提供すること
を行うように構成された少なくとも１つのプロセッサと、
前記少なくとも１つのプロセッサに結合されたメモリとを備えるワイヤレス通信装置。
［６６］  前記少なくとも１つのプロセッサが、前記リレーｅＮＢからＬＴＥバックホールリンクを介して前記接続確立要求を得る、［６５］に記載のワイヤレス通信装置。
［６７］  前記少なくとも１つのプロセッサが、トンネリングプロトコルに従って前記リレーｅＮＢとの通信トンネルを確立するようにさらに構成された、［６５］に記載のワイヤレス通信装置。
［６８］  前記トンネリングプロトコルが、汎用パケット無線サービス（ＧＰＲＳ）トンネリングプロトコル（ＧＴＰ）である、［６７］に記載のワイヤレス通信装置。
［６９］  前記少なくとも１つのプロセッサが、前記リレーｅＮＢから前記通信トンネルを介して１つまたは複数のパケットを受信するようにさらに構成され、前記１つまたは複数のパケットが、前記ローカルＩＰアドレスに対応するトンネルエンドポイント識別子（ＴＥＩＤ）をもつＧＴＰヘッダを備える、［６８］に記載のワイヤレス通信装置。
［７０］  リレーｅＮＢから接続確立要求を受信するための手段と、
ネットワークから受信したデータを前記リレーｅＮＢにルーティングすることを最適化するためにローカルインターネットプロトコル（ＩＰ）アドレスを前記リレーｅＮＢに割り当てるための手段、ここで、前記接続確立要求を受信するための前記手段は前記ローカルＩＰアドレスを前記リレーｅＮＢに送信する、を備える装置。
［７１］  前記接続確立要求を受信するための前記手段が、前記リレーｅＮＢからＬＴＥバックホールリンクを介して前記接続確立要求を受信する、［７０］に記載の装置。
［７２］  トンネリングプロトコルに従って前記リレーｅＮＢとの通信トンネルを確立するための手段をさらに備える、［７０］に記載の装置。
［７３］  前記トンネリングプロトコルが汎用パケット無線サービス（ＧＰＲＳ）トンネリングプロトコル（ＧＴＰ）である、［７２］に記載の装置。
［７４］  前記接続確立要求を受信するための前記手段が、前記リレーｅＮＢから前記通信トンネルを介して１つまたは複数のパケットを受信し、前記１つまたは複数のパケットが、前記ローカルＩＰアドレスに対応するトンネルエンドポイント識別子（ＴＥＩＤ）をもつＧＴＰヘッダを備える、［７３］に記載の装置。
［７５］  少なくとも１つのコンピュータに、リレーｅＮＢからの接続確立要求を受信させるためのコードと、
前記少なくとも１つのコンピュータに、ネットワークから受信したデータを前記リレーｅＮＢにルーティングすることを最適化するためにローカルインターネットプロトコル（ＩＰ）アドレスを前記リレーｅＮＢに割り当てさせるためのコードと、
前記少なくとも１つのコンピュータに、前記ローカルＩＰアドレスを前記リレーｅＮＢに送信させるためのコードとを備えるコンピュータ可読媒体を備えるコンピュータプログラム製品。
［７６］  前記少なくとも１つのコンピュータに前記接続確立要求を受信させるための前記コードが、前記リレーｅＮＢからＬＴＥバックホールリンクを介して前記接続確立要求を受信する、［７５］に記載のコンピュータプログラム製品。
［７７］  前記コンピュータ可読媒体が、前記少なくとも１つのコンピュータに、トンネリングプロトコルに従って前記リレーｅＮＢとの通信トンネルを確立させるためのコードをさらに備える、［７５］に記載のコンピュータプログラム製品。
［７８］  前記トンネリングプロトコルが汎用パケット無線サービス（ＧＰＲＳ）トンネリングプロトコル（ＧＴＰ）である、［７７］に記載のコンピュータプログラム製品。
［７９］  前記コンピュータ可読媒体が、前記少なくとも１つのコンピュータに、前記リレーｅＮＢから前記通信トンネルを介して１つまたは複数のパケットを受信させるためのコードをさらに備え、前記１つまたは複数のパケットが、前記ローカルＩＰアドレスに対応するトンネルエンドポイント識別子（ＴＥＩＤ）をもつＧＴＰヘッダを備える、［７８］に記載のコンピュータプログラム製品。
［８０］  リレーｅＮＢから接続確立要求を受信するアクセスリンク構成要素と、
ネットワークから受信したデータを前記リレーｅＮＢにルーティングすることを最適化するためにローカルインターネットプロトコル（ＩＰ）アドレスを前記リレーｅＮＢに割り当てるアドレス指定構成要素、ここで、前記アクセスリンク構成要素は前記ローカルＩＰアドレスを前記リレーｅＮＢに送信する、を備える装置。
［８１］  前記アクセスリンク構成要素が、前記リレーｅＮＢからＬＴＥバックホールリンクを介して前記接続確立要求を受信する、［８０］に記載の装置。
［８２］  トンネリングプロトコルに従って前記リレーｅＮＢとの通信トンネルを作成するトンネル確立構成要素をさらに備える、［８０］に記載の装置。
［８３］  前記トンネリングプロトコルが汎用パケット無線サービス（ＧＰＲＳ）トンネリングプロトコル（ＧＴＰ）である、［８２］に記載の装置。
［８４］  前記アクセスリンク構成要素が、前記リレーｅＮＢから前記通信トンネルを介して１つまたは複数のパケットを受信し、前記１つまたは複数のパケットが、前記ローカルＩＰアドレスに対応するトンネルエンドポイント識別子（ＴＥＩＤ）をもつＧＴＰヘッダを備える、［８３］に記載の装置。
［８５］  ネットワーク構成要素からトランスポートレイヤを介して１つまたは複数のアプリケーションプロトコル中でリレーｅＮＢに関係する情報を受信することと、
前記トランスポートレイヤから前記１つまたは複数のアプリケーションプロトコルを分離することと、
前記１つまたは複数のアプリケーションプロトコル中の前記情報を異種トランスポートレイヤを介して前記リレーｅＮＢに送信することとを備える方法。
［８６］  前記情報を前記送信することが、ＬＴＥバックホールリンクを介して前記リレーｅＮＢに前記情報を送信することを含む、［８５］に記載の方法。
［８７］  前記情報を前記受信することが、コアネットワークから前記情報を受信することを含む、［８５］に記載の方法。
［８８］  前記情報を前記受信することが、アクセスネットワークから前記情報を受信することを含む、［８５］に記載の方法。
［８９］  前記情報を前記受信することが、Ｓ１−Ｕ、Ｓ１−ＭＭＥ、またはＸ２インターフェースを介して前記情報を受信することを含む、［８５］に記載の方法。
［９０］    ネットワーク構成要素からトランスポートレイヤを介してアプリケーションプロトコル中でリレーｅＮＢに関係するデータを受信することと、
前記トランスポートレイヤから前記アプリケーションプロトコルを分離することと、
前記アプリケーションプロトコル中の前記データを異種トランスポートレイヤを介して前記リレーｅＮＢに送信すること
を行うように構成された少なくとも１つのプロセッサと、
前記少なくとも１つのプロセッサに結合されたメモリとを備えるワイヤレス通信装置。
［９１］  前記少なくとも１つのプロセッサが、ＬＴＥバックホールリンクを介して前記リレーｅＮＢに前記データを送信する、［９０］に記載のワイヤレス通信装置。
［９２］  前記ネットワーク構成要素がコアネットワーク中にある、［９０］に記載のワイヤレス通信装置。
［９３］  前記ネットワーク構成要素がアクセスネットワーク中にある、［９０］に記載のワイヤレス通信装置。
［９４］  前記少なくとも１つのプロセッサが、Ｓ１−Ｕ、Ｓ１−ＭＭＥ、またはＸ２インターフェースを介して前記データを受信する、［９０］に記載のワイヤレス通信装置。
［９５］  ネットワーク構成要素からリレーｅＮＢに関係する通信を受信するための手段と、
前記通信のトランスポートレイヤからアプリケーションレイヤデータを分離するための手段と、
異種トランスポートレイヤを介して前記リレーｅＮＢに前記アプリケーションレイヤデータを送信するための手段とを備える装置。
［９６］  前記異種トランスポートレイヤのためのパケットを生成するための手段をさらに備え、送信するための前記手段が、前記パケット中で前記アプリケーションレイヤデータを送信する、［９５］に記載の装置。
［９７］  送信するための前記手段が、前記リレーｅＮＢとのＬＴＥバックホールリンクを介して前記アプリケーションレイヤデータを送信する、［９５］に記載の装置。
［９８］  前記ネットワーク構成要素がコアまたはアクセスネットワーク構成要素である、［９５］に記載の装置。
［９９］  受信するための前記手段が、Ｓ１−Ｕ、Ｓ１−ＭＭＥ、またはＸ２インターフェースを介して前記通信を受信する、［９５］に記載の装置。
［１００］  少なくとも１つのコンピュータに、ネットワーク構成要素からトランスポートレイヤを介して１つまたは複数のアプリケーションプロトコル中でリレーｅＮＢに関係する情報を受信させるためのコードと、
前記少なくとも１つのコンピュータに、前記トランスポートレイヤから前記１つまたは複数のアプリケーションプロトコルを分離させるためのコードと、
前記少なくとも１つのコンピュータに、前記１つまたは複数のアプリケーションプロトコル中の前記情報を異種トランスポートレイヤを介して前記リレーｅＮＢに送信させるためのコードとを備えるコンピュータ可読媒体を備えるコンピュータプログラム製品。
［１０１］  前記少なくとも１つのコンピュータに前記情報を送信させるための前記コードが、ＬＴＥバックホールリンクを介して前記リレーｅＮＢに前記情報を送信する、［１００］に記載のコンピュータプログラム製品。
［１０２］  前記少なくとも１つのコンピュータに前記情報を受信させるための前記コードが、コアネットワークから前記情報を受信する、［１００］に記載のコンピュータプログラム製品。
［１０３］  前記少なくとも１つのコンピュータに前記情報を受信させるための前記コードが、アクセスネットワークから前記情報を受信する、［１００］に記載のコンピュータプログラム製品。
［１０４］  前記少なくとも１つのコンピュータに前記情報を受信させるための前記コードが、Ｓ１−Ｕ、Ｓ１−ＭＭＥ、またはＸ２インターフェースを介して前記情報を受信する、［１００］に記載のコンピュータプログラム製品。
［１０５］  ネットワーク構成要素からリレーｅＮＢに関係する通信を受信するバックホールリンク構成要素と、
前記通信のトランスポートレイヤからアプリケーションレイヤデータを分離するトランスポート変換構成要素と、
異種トランスポートレイヤを介して前記リレーｅＮＢに前記アプリケーションレイヤデータを送信するアクセスリンク構成要素とを備える装置。
［１０６］  前記異種トランスポートレイヤのためのパケットを生成する構成要素を定義するトランスポートプロトコルをさらに備え、前記トランスポート変換構成要素が、前記アプリケーションレイヤデータを前記パケット中に挿入し、前記アクセスリンク構成要素が、前記パケット中の前記アプリケーションレイヤデータを前記リレーｅＮＢに送信する、［１０５］に記載の装置。
［１０７］  前記アクセスリンク構成要素が、前記リレーｅＮＢとのＬＴＥバックホールリンクを介して前記アプリケーションレイヤデータを送信する、［１０５］に記載の装置。
［１０８］  前記ネットワーク構成要素がコアまたはアクセスネットワーク構成要素である、［１０５］に記載の装置。
［１０９］  前記バックホールリンク構成要素が、Ｓ１−Ｕ、Ｓ１−ＭＭＥ、またはＸ２インターフェースを介して前記通信を受信する、［１０５］に記載の装置。
［１１０］  圧縮トランスポートレイヤを使用してＬＴＥエアインターフェースを介してバックホールリンクプロトコルに従ってドナーｅＮＢからデータを受信することと、
前記圧縮トランスポートレイヤに少なくとも部分的に基づいて前記バックホールリンクプロトコルを判断することと、
前記バックホールリンクプロトコルに従って前記データを処理することとを備える方法。
［１１１］  前記バックホールリンクプロトコルに従って前記データを前記受信することが、ＬＴＥバックホールリンクプロトコルに従って前記データを受信することを含む、［１１０］に記載の方法。
［１１２］  ＵＥまたは異種リレーｅＮＢからアップリンクデータを受信することと、
前記アップリンクデータに関係するトランスポートレイヤを圧縮することと、
前記アップリンクデータを前記圧縮トランスポートレイヤを介して前記ドナーｅＮＢに送信することとをさらに備える、［１１０］に記載の方法。
［１１３］    圧縮トランスポートレイヤを使用してＬＴＥエアインターフェースを介してバックホールリンクプロトコルに従ってドナーｅＮＢからデータを得ることと、
前記圧縮トランスポートレイヤに少なくとも部分的に基づいて前記バックホールリンクプロトコルを見分けることと、
前記バックホールリンクプロトコルに従って前記データを復号すること
を行うように構成された少なくとも１つのプロセッサと、
前記少なくとも１つのプロセッサに結合されたメモリとを備えるワイヤレス通信装置。
［１１４］  前記少なくとも１つのプロセッサが、ＬＴＥバックホールリンクプロトコルに従って前記データを受信する、［１１３］に記載のワイヤレス通信装置。
［１１５］  前記少なくとも１つのプロセッサが、
ＵＥまたは異種リレーｅＮＢからアップリンクデータを得ることと、
前記アップリンクデータに関係するトランスポートレイヤを圧縮することと、
前記アップリンクデータを前記圧縮トランスポートレイヤを介して前記ドナーｅＮＢに送信することとを行うようにさらに構成された、［１１３］に記載のワイヤレス通信装置。
［１１６］  圧縮トランスポートレイヤを使用してＬＴＥエアインターフェースを介してバックホールリンクプロトコルに従ってドナーｅＮＢからデータを受信するための手段と、
前記圧縮トランスポートレイヤに少なくとも部分的に基づいて前記バックホールリンクプロトコルを判断することと、前記バックホールリンクプロトコルに従って前記データを処理することを行うための手段とを備える装置。
［１１７］  前記データを受信するための前記手段が、ＬＴＥバックホールリンクプロトコルに従って前記データを受信する、［１１６］に記載の装置。
［１１８］  前記バックホールリンクプロトコルを判断するための前記手段が、さらに、ＵＥからアップリンクデータを受信し、前記ドナーｅＮＢからデータを受信するための前記手段が、さらに、前記アップリンクデータを前記バックホールリンクプロトコルを介して前記ドナーｅＮＢに送信するとき前記アップリンクデータのトランスポートレイヤを圧縮する、［１１６］に記載の装置。
［１１９］  少なくとも１つのコンピュータに、圧縮トランスポートレイヤを使用してＬＴＥエアインターフェースを介してバックホールリンクプロトコルに従ってドナーｅＮＢからデータを受信させるためのコードと、
前記少なくとも１つのコンピュータに、前記圧縮トランスポートレイヤに少なくとも部分的に基づいて前記バックホールリンクプロトコルを判断させるためのコードと、
前記少なくとも１つのコンピュータに、前記バックホールリンクプロトコルに従って前記データを処理させるためのコードとを備えるコンピュータ可読媒体を備えるコンピュータプログラム製品。
［１２０］  前記少なくとも１つのコンピュータに前記データを受信させるための前記コードが、ＬＴＥバックホールリンクプロトコルに従って前記データを受信する、［１１９］に記載のコンピュータプログラム製品。
［１２１］  前記コンピュータ可読媒体が、
前記少なくとも１つのコンピュータに、ＵＥまたは異種リレーｅＮＢからアップリンクデータを受信させるためのコードと、
前記少なくとも１つのコンピュータに、前記アップリンクデータに関係するトランスポートレイヤを圧縮させるためのコードと、
前記少なくとも１つのコンピュータに、前記圧縮トランスポートレイヤを介して前記ドナーｅＮＢに前記アップリンクデータを送信させるためのコードとをさらに備える、［１１９］に記載のコンピュータプログラム製品。
［１２２］  圧縮トランスポートレイヤを使用してＬＴＥエアインターフェースを介してバックホールリンクプロトコルに従ってドナーｅＮＢからデータを受信するアクセスリンク構成要素と、
前記圧縮トランスポートレイヤに少なくとも部分的に基づいて前記バックホールリンクプロトコルを判断し、前記バックホールリンクプロトコルに従って前記データを復号するバックホールリンク構成要素とを備える装置。
［１２３］  前記アクセスリンク構成要素が、ＬＴＥバックホールリンクプロトコルに従って前記データを受信する、［１２２］に記載の装置。
［１２４］  前記アクセスリンク構成要素が、さらに、ＵＥからアップリンクデータを受信し、前記バックホールリンク構成要素が、さらに、前記アップリンクデータを前記バックホールリンクプロトコルを介して前記ドナーｅＮＢに送信するとき前記アップリンクデータのトランスポートレイヤを圧縮する、［１２２］に記載の装置。
【外国語明細書】
2014147089000001.pdf